(57)【特許請求の範囲】
【請求項１】
端末デバイスであって、
ネットワークデバイスによって送信された第１のメッセージを受信する第１の受信モジュールであって、前記第１のメッセージは、少なくとも１つのグループサービス識別子を含み、１つのグループサービス識別子は、１つのグループサービスに対応する、第１の受信モジュールと、
前記第１の受信モジュールによって受信された前記第１のメッセージに従って、前記端末デバイスの第１のグループサービス識別子に対応する第１のグループサービスを受信する第２の受信モジュールと、
前記第１のメッセージの構成情報を受信し、前記第１の受信モジュールに、前記第１のメッセージの前記構成情報に従って、前記第１のメッセージを受信するように命令する第３の受信モジュールと、
を備え、
前記構成情報が第１の無線ネットワーク一時識別子ＲＮＴＩを含まない場合、前記第１の受信モジュールは、第１のデフォルトＲＮＴＩに従って、第１のダウンリンク制御情報を受信し、前記第１のダウンリンク制御情報に従って、前記第１のメッセージを受信する、端末デバイス。
【請求項２】
前記構成情報が前記第１のＲＮＴＩを含む場合、前記第１の受信モジュールは、前記第１のＲＮＴＩに従って、第１のダウンリンク制御情報を受信し、前記第１のダウンリンク制御情報に従って、前記第１のメッセージを受信する、請求項１に記載の端末デバイス。
【請求項３】
前記第３の受信モジュールによって受信された前記第１のメッセージの前記構成情報は、前記ネットワークデバイスによって前記第１のメッセージを送信するために用いられる時間パターン、前記第１のＲＮＴＩ、ならびに前記第１のメッセージの変調及び符号化スキームの情報の少なくとも１つを含む、
請求項１または２に記載の端末デバイス。
【請求項４】
前記ネットワークデバイスによって前記第１のメッセージを送信するために用いられ、かつ、前記第３の受信モジュールによって受信される前記時間パターンは、前記第１のメッセージの変更周期、前記第１のメッセージを送信するための反復係数、及び前記第１のメッセージの時間オフセットの情報の少なくとも１つを含む、請求項３に記載の端末デバイス。
【請求項５】
前記少なくとも１つのグループサービス識別子が前記端末デバイスの前記第１のグループサービス識別子を含む場合、前記第２の受信モジュールは、前記第１の受信モジュールによって受信された前記第１のメッセージに従って、前記第１のグループサービスを受信する、請求項１から４のいずれか１項に記載の端末デバイス。
【請求項６】
前記第２の受信モジュールは、第２の受信ユニットを含み、
前記第１のメッセージが第２のＲＮＴＩを含む場合、前記第２の受信ユニットは、前記第２のＲＮＴＩに従って、第２のダウンリンク制御情報を受信し、前記第２のダウンリンク制御情報に従って、前記第１のグループサービスを受信する、又は、
前記第１のメッセージが前記第２のＲＮＴＩを含まない場合、前記第２の受信ユニットは、第２のデフォルトＲＮＴＩに従って、前記第２のダウンリンク制御情報を受信し、前記第２のダウンリンク制御情報に従って、前記第１のグループサービスを受信する、
請求項１から５のいずれか１項に記載の端末デバイス。
【請求項７】
端末デバイスであって、
ネットワークデバイスによって送信された第１のメッセージを受信する第１の受信モジュールであって、前記第１のメッセージは、少なくとも１つのグループサービス識別子を含み、１つのグループサービス識別子は、１つのグループサービスに対応する、第１の受信モジュールと、
前記第１の受信モジュールによって受信された前記第１のメッセージに従って、前記端末デバイスの第１のグループサービス識別子に対応する第１のグループサービスを受信する第２の受信モジュールと、を備え、
前記第２の受信モジュールは、第２の受信ユニットを含み、
前記第１のメッセージが第２のＲＮＴＩを含む場合、前記第２の受信ユニットは、前記第２のＲＮＴＩに従って、第２のダウンリンク制御情報を受信し、前記第２のダウンリンク制御情報に従って、前記第１のグループサービスを受信する、又は、
前記第１のメッセージが前記第２のＲＮＴＩを含まない場合、前記第２の受信ユニットは、第２のデフォルトＲＮＴＩに従って、前記第２のダウンリンク制御情報を受信し、前記第２のダウンリンク制御情報に従って、前記第１のグループサービスを受信する、端末デバイス。
【請求項８】
前記端末デバイスは、
変更指示情報に従って、前記第１の受信モジュールによって受信された前記第１のメッセージが変更されたと決定する決定モジュールをさらに備え、
前記変更指示情報は、
前記第１のメッセージが変更されたことを示し、かつ、ページングメッセージにおいて保持される指示情報、又は、
前記第１のメッセージが変更されたことを示し、かつ、システム情報ブロックＳＩＢ１メッセージにおいて保持される指示情報、又は、
前記第２の受信モジュールが第１のダウンリンク制御情報を受信した場合、前記第１のメッセージが変更されたことを示し、かつ、前記第１のダウンリンク制御情報において保持される指示情報
を含む、請求項１から７のいずれか１項に記載の端末デバイス。
【請求項９】
第１のメッセージを端末デバイスに送信する第１の送信モジュールであって、前記第１のメッセージは、少なくとも１つのグループサービス識別子を含み、１つのグループサービス識別子は、１つのグループサービスに対応する、第１の送信モジュールと、
前記少なくとも１つのグループサービス識別子に対応するグループサービスを前記端末デバイスに送信する第２の送信モジュールと、
前記第１のメッセージの構成情報を前記端末デバイスに送信する第３の送信モジュールであって、これにより、前記端末デバイスは、前記第１のメッセージの前記構成情報に従って、前記第１のメッセージを受信する、第３の送信モジュールと、を備え、
前記端末デバイスに第１のデフォルト無線ネットワーク一時識別子ＲＮＴＩに従って第１のダウンリンク制御情報を受信させる場合、前記第３の送信モジュールによって送信された前記第１のメッセージの前記構成情報は、第１のＲＮＴＩを含まない、ネットワークデバイス。
【請求項１０】
前記端末デバイスに前記第１のＲＮＴＩに従って第１のダウンリンク制御情報を受信させる場合、前記第３の送信モジュールによって送信された前記第１のメッセージの前記構成情報は、前記第１のＲＮＴＩを含む、請求項９に記載のネットワークデバイス。
【請求項１１】
前記第１のメッセージの前記構成情報は、前記第１のメッセージを送信するための時間パターン、前記第１のＲＮＴＩ、ならびに前記第１のメッセージの変調及び符号化スキームの情報の少なくとも１つを含む、
請求項９または１０に記載のネットワークデバイス。
【請求項１２】
前記第１の送信モジュールによって送信された前記第１のメッセージは、前記第１のメッセージを送信するための周期、前記第１のメッセージの変更周期、前記少なくとも１つのグループサービスにおける各グループサービスの時間オフセット、第２の無線ネットワーク一時識別子ＲＮＴＩ、及び各グループサービスの論理チャネル番号の情報の少なくとも１つをさらに含む、請求項９から１１のいずれか１項に記載のネットワークデバイス。
【請求項１３】
第１のメッセージを端末デバイスに送信する第１の送信モジュールであって、前記第１のメッセージは、少なくとも１つのグループサービス識別子を含み、１つのグループサービス識別子は、１つのグループサービスに対応する、第１の送信モジュールと、
前記少なくとも１つのグループサービス識別子に対応するグループサービスを前記端末デバイスに送信する第２の送信モジュールと、
を備え、
前記端末デバイスに第２の無線ネットワーク一時識別子ＲＮＴＩに従って第２のダウンリンク制御情報を受信させる場合、前記第１の送信モジュールによって送信された前記第１のメッセージは、前記第２のＲＮＴＩを含み、又は、
前記端末デバイスに第２のデフォルトＲＮＴＩに従って前記第２のダウンリンク制御情報を受信させる場合、前記第１の送信モジュールによって送信された前記第１のメッセージは、前記第２のＲＮＴＩを含まない、ネットワークデバイス。
【請求項１４】
グループ通信方法であって、
ネットワークデバイスによって送信された第１のメッセージの構成情報を端末デバイスによって受信する段階であって、前記端末デバイスは、前記第１のメッセージの前記構成情報に従って、前記第１のメッセージを受信する、段階と、
前記ネットワークデバイスによって送信された前記第１のメッセージを前記端末デバイスによって受信する段階であって、前記第１のメッセージは、少なくとも１つのグループサービス識別子を含み、１つのグループサービス識別子は、１つのグループサービスに対応する、段階と、
前記端末デバイスによって、前記第１のメッセージに従って、前記端末デバイスの第１のグループサービス識別子に対応する第１のグループサービスを受信する段階と、を備え、
前記ネットワークデバイスによって送信された前記第１のメッセージを前記端末デバイスによって受信する前記段階は、
前記構成情報が第１の無線ネットワーク一時識別子ＲＮＴＩを含まない場合、前記端末デバイスによって、第１のデフォルトＲＮＴＩに従って、第１のダウンリンク制御情報を受信し、前記第１のダウンリンク制御情報に従って、前記第１のメッセージを受信する段階を含む、方法。
【請求項１５】
前記構成情報が前記第１のＲＮＴＩを含む場合、前記端末デバイスによって、前記第１のＲＮＴＩに従って、第１のダウンリンク制御情報を受信し、前記第１のダウンリンク制御情報に従って、前記第１のメッセージを受信する段階を含む、請求項１４に記載の方法。
【請求項１６】
前記第１のメッセージの前記構成情報は、前記ネットワークデバイスによって前記第１のメッセージを送信するために用いられる時間パターン、前記第１のＲＮＴＩ、ならびに前記第１のメッセージの変調及び符号化スキームの情報の少なくとも１つを含む、
請求項１４または１５に記載の方法。
【請求項１７】
前記少なくとも１つのグループサービス識別子が前記端末デバイスの前記第１のグループサービス識別子を含む場合、前記端末デバイスは、前記第１のメッセージに従って、前記第１のグループサービスを受信する、請求項１４から１６のいずれか１項に記載の方法。
【請求項１８】
前記第１のメッセージは、前記ネットワークデバイスによって前記第１のメッセージを送信するための周期、前記第１のメッセージの変更周期、前記少なくとも１つのグループサービス識別子に対応する各グループサービスの時間オフセット、第２の無線ネットワーク一時識別子ＲＮＴＩ、及び各グループサービスの論理チャネル番号の情報の少なくとも１つをさらに含む、請求項１４から１７のいずれか１項に記載の方法。
【請求項１９】
前記端末デバイスによって、前記第１のメッセージに従って、前記端末デバイスの第１のグループサービス識別子に対応する第１のグループサービスを受信する前記段階は、
前記第１のメッセージが第２のＲＮＴＩを含む場合、前記端末デバイスによって、前記第２のＲＮＴＩに従って、第２のダウンリンク制御情報を受信し、前記第２のダウンリンク制御情報に従って、前記第１のグループサービスを受信する段階、又は、
前記第１のメッセージが前記第２のＲＮＴＩを含まない場合、前記端末デバイスによって、第２のデフォルトＲＮＴＩに従って、前記第２のダウンリンク制御情報を受信し、前記第２のダウンリンク制御情報に従って、前記第１のグループサービスを受信する段階
を含む、請求項１４から１８のいずれか１項に記載の方法。
【請求項２０】
グループ通信方法であって、
ネットワークデバイスによって送信された第１のメッセージを端末デバイスによって受信する段階であって、前記第１のメッセージは、少なくとも１つのグループサービス識別子を含み、１つのグループサービス識別子は、１つのグループサービスに対応する、段階と、
前記端末デバイスによって、前記第１のメッセージに従って、前記端末デバイスの第１のグループサービス識別子に対応する第１のグループサービスを受信する段階と、を備え、
前記端末デバイスによって、前記第１のメッセージに従って、前記端末デバイスの第１のグループサービス識別子に対応する第１のグループサービスを受信する前記段階は、
前記第１のメッセージが第２のＲＮＴＩを含む場合、前記端末デバイスによって、前記第２のＲＮＴＩに従って、第２のダウンリンク制御情報を受信し、前記第２のダウンリンク制御情報に従って、前記第１のグループサービスを受信する段階、又は、
前記第１のメッセージが前記第２のＲＮＴＩを含まない場合、前記端末デバイスによって、第２のデフォルトＲＮＴＩに従って、前記第２のダウンリンク制御情報を受信し、前記第２のダウンリンク制御情報に従って、前記第１のグループサービスを受信する段階
を含む、方法。
【請求項２１】
グループ通信方法であって、
ネットワークデバイスによって、第１のメッセージの構成情報を端末デバイスに送信する段階であって、これにより、前記端末デバイスは、前記第１のメッセージの前記構成情報に従って、前記第１のメッセージを受信する、段階と、
前記ネットワークデバイスによって、前記第１のメッセージを前記端末デバイスに送信する段階であって、前記第１のメッセージは、少なくとも１つのグループサービス識別子を含み、１つのグループサービス識別子は、１つのグループサービスに対応する、段階と、
前記ネットワークデバイスによって、前記少なくとも１つのグループサービス識別子に対応するグループサービスを前記端末デバイスに送信する段階と、
を備え、
前記ネットワークデバイスによって、第１のメッセージの構成情報を端末デバイスに送信する前記段階は、
前記端末デバイスに第１のデフォルト無線ネットワーク一時識別子ＲＮＴＩに従って第１のダウンリンク制御情報を受信させる場合、第１のＲＮＴＩを含まない前記第１のメッセージの前記構成情報を送信する段階を含む、方法。
【請求項２２】
前記端末デバイスに前記第１のＲＮＴＩに従って第１のダウンリンク制御情報を受信させる場合、前記第１のＲＮＴＩを含む前記第１のメッセージの前記構成情報を送信する段階を含む、請求項２１に記載の方法。
【請求項２３】
前記第１のメッセージの前記構成情報は、前記第１のメッセージを送信するための時間パターン、第１の無線ネットワーク一時識別子ＲＮＴＩ方式、ならびに前記第１のメッセージの変調及び符号化スキームの情報の少なくとも１つを含む、
請求項２１または２２に記載の方法。
【請求項２４】
グループ通信方法であって、
ネットワークデバイスによって、第１のメッセージを端末デバイスに送信する段階であって、前記第１のメッセージは、少なくとも１つのグループサービス識別子を含み、１つのグループサービス識別子は、１つのグループサービスに対応する、段階と、
前記ネットワークデバイスによって、前記少なくとも１つのグループサービス識別子に対応するグループサービスを前記端末デバイスに送信する段階と、
を備え、
前記ネットワークデバイスによって、第１のメッセージを端末デバイスに送信する前記段階は、
前記端末デバイスに第２の無線ネットワーク一時識別子ＲＮＴＩに従って第２のダウンリンク制御情報を受信させる場合、前記第２のＲＮＴＩを含む前記第１のメッセージを送信する段階、又は、
前記端末デバイスに第２のデフォルトＲＮＴＩに従って前記第２のダウンリンク制御情報を受信させる場合、前記第２のＲＮＴＩを含まない前記第１のメッセージを送信する段階を含む、方法。
【請求項２５】
請求項１４から２４のいずれか１項に記載の方法をコンピュータに実行させるプログラム。
【発明の詳細な説明】
【技術分野】
【０００１】
本発明の実施形態は、モバイル通信の分野に関し、詳細には、端末デバイス、ネットワークデバイス、及びグループ通信方法に関する。
【背景技術】
【０００２】
グループ通信は、ＵＥのグループ間における相互通信のためのメカニズムを指す。グループ通信の間、ＵＥのグループにおいて１つだけのＵＥが話すことが可能であり、他のＵＥは、ダウンリンクを介して、話しているＵＥの音声内容を受信する。現在、グループ通信は、通常、グループ通信サーバを用いることによって実装される。ＵＥのグループにおける各ＵＥは、グループサーバに対してシグナリング接続及び音声接続を確立し、グループ通信を実装する。グループ通信サーバは、シグナリングを用いることによって、ＵＥが話し、話しているＵＥのダウンリンク音声をグループにおける他のＵＥに送信することを承認する。ＵＥが話す必要がある場合、ＵＥは、セッション確立プロトコル（英語でＳｅｓｓｉｏｎ  Ｉｎｉｔｉａｔｉｏｎ  Ｐｒｏｔｏｃｏｌ、略してＳＩＰ）シグナリングを用いることによって、フロアに対するグループ通信サーバを要求する。グループ通信サーバがフロアをＵＥに付与した後でのみ、話しているＵＥは、音声をグループにおける他のＵＥに送信することができる。同様に、グループ通信サーバは、ＳＩＰシグナリングを用いることによって、グループにおける他のＵＥに、トークを聞き始めるように命令する。
【０００３】
グループ通信の現在の実装方式のうち、最も単純な実装方式は、標準的な音声通信と同じ処理方式を用いることによって、グループ通信を実装することである。すなわち、アクセスネットワーク側の各ＵＥは、音声メッセージを送信するために、別個のダウンリンク音声チャネルを必要とする。このような処理方式は、各ＵＥに、同じ音声メッセージを個別に送信することを要求する。その結果、無線リソースが無駄になる。
【発明の概要】
【０００４】
本発明の実施形態は、グループ通信を実装するための端末デバイス、ネットワークデバイス、及びグループ通信方法を提供する。
【０００５】
第１の態様によれば、端末デバイスが提供される。端末デバイスは、ネットワークデバイスによって送信された第１のメッセージを受信するように構成される第１の受信モジュールであって、第１のメッセージは、少なくとも１つのグループサービス識別子を含み、１つのグループサービス識別子は、１つのグループサービスに対応する、第１の受信モジュールと、第１の受信モジュールによって受信された第１のメッセージに従って、端末デバイスの第１のグループサービス識別子に対応する第１のグループサービスを受信するように構成される第２の受信モジュールと、を含む。
【０００６】
第１の態様に関連して、第１の態様の第１の可能な実装方式において、端末デバイスは、第３の受信モジュールを含む。第３の受信モジュールは、第１のメッセージの構成情報を受信するように構成され、これにより、端末デバイスの第１の受信モジュールは、第１のメッセージの構成情報に従って、第１のメッセージを受信する。第３の受信モジュールによって受信された第１のメッセージの構成情報は、ネットワークデバイスによって第１のメッセージを送信するために用いられる時間パターン、第１のＲＮＴＩ、ならびに第１のメッセージの変調及び符号化スキームの情報の少なくとも１つを含む。
【０００７】
第１の態様の第１の可能な実装方式に関連して、第１の態様の第２の可能な実装方式において、ネットワークデバイスによって第１のメッセージを送信するために用いられ、かつ、第３の受信モジュールによって受信される時間パターンは、第１のメッセージの変更周期、第１のメッセージを送信するための反復係数、及び第１のメッセージの時間オフセットの情報の少なくとも１つを含む。
【０００８】
第１の態様の第１又は第２の可能な実装方式に関連して、第１の態様の第３の可能な実装方式において、第１の受信モジュールは、第１の受信ユニットを含む。第３の受信モジュールによって受信された構成情報が第１のＲＮＴＩを含む場合、第１の受信ユニットは、第１のＲＮＴＩに従って、第１のダウンリンク制御情報を受信し、第１のダウンリンク制御情報に従って、第１のメッセージを受信するように構成される、又は、第３の受信モジュールによって受信された構成情報が第１のＲＮＴＩを含まない場合、第１の受信ユニットは、第１のデフォルトＲＮＴＩに従って、第１のダウンリンク制御情報を受信し、第１のダウンリンク制御情報に従って、第１のメッセージを受信するように構成される。
【０００９】
第１の態様又は第１の態様の第１から第３の可能な実装方式のいずれか１つに関連して、第１の態様の第４の可能な実装方式において、少なくとも１つのグループサービス識別子が端末デバイスの第１のグループサービス識別子を含む場合、第２の受信モジュールは、第１の受信モジュールによって受信された第１のメッセージに従って、第１のグループサービスを受信するように構成される。
【００１０】
第１の態様又は第１の態様の第１から第４の可能な実装方式のいずれか１つに関連して、第１の態様の第５の可能な実装方式において、第１の受信モジュールによって受信された第１のメッセージは、ネットワークデバイスによって第１のメッセージを送信するための周期、第１のメッセージの変更周期、少なくとも１つのグループサービス識別子に対応する各グループサービスの時間オフセット、第２のＲＮＴＩ、及び各グループサービスの論理チャネル番号の情報の少なくとも１つをさらに含む。
【００１１】
第１の態様又は第１の態様の第１から第５の可能な実装方式のいずれか１つに関連して、第１の態様の第６の可能な実装方式において、第２の受信モジュールは、第２の受信ユニットを含む。第１のメッセージが第２のＲＮＴＩを含む場合、第２の受信ユニットは、第２のＲＮＴＩに従って、第２のダウンリンク制御情報を受信し、第２のダウンリンク制御情報に従って、第１のグループサービスを受信するように構成される、又は、第１のメッセージが「第２のＲＮＴＩを含まない場合、第２の受信ユニットは、第２のデフォルトＲＮＴＩに従って、第２のダウンリンク制御情報を受信し、第２のダウンリンク制御情報に従って、第１のグループサービスを受信するように構成される。
【００１２】
第１の態様の第６の可能な実装方式に関連して、第１の態様の第７の可能な実装方式において、第２の受信モジュールは、第３の受信ユニットをさらに含む。第３の受信ユニットは、第２の受信ユニットによって受信された第２のダウンリンク制御情報に従って、ＭＡＣ  ＰＤＵを受信するように構成され、第１の受信モジュールによって受信された第１のメッセージが各グループサービスの論理チャネル番号を含む場合、第１の受信モジュールによって受信された第１のグループサービスの論理チャネル番号に従って、第２の受信モジュールによって受信された第１のグループサービスのＭＡＣ  ＳＤＵを受信する、又は、第１の受信モジュールによって受信された第１のメッセージが各グループサービスの論理チャネル番号を含まない場合、第１のグループサービス識別子に従って、第２の受信モジュールによって受信された第１のグループサービスのＭＡＣ  ＳＤＵを受信する。
【００１３】
第１の態様の第７の可能な実装方式に関連して、第１の態様の第８の可能な実装方式において、第２の受信モジュールによって受信されたＭＡＣ  ＰＤＵは、ＭＡＣ  ＣＥを保持し、第１のグループサービスが終了したことを示す。
【００１４】
第１の態様又は第３の態様の第１から第７の可能な実装方式のいずれか１つに関連して、第１の態様の第９の可能な実装方式において、端末デバイスは、決定モジュールをさらに含む。決定モジュールは、変更指示情報に従って、第１の受信モジュールによって受信された第１のメッセージが変更されたと決定するように構成される。変更指示情報は、第１のメッセージが変更されたことを示し、かつ、ページングメッセージにおいて保持される指示情報、又は、第１のメッセージが変更されたことを示し、かつ、ＳＩＢ１メッセージにおいて保持される指示情報、又は、第２の受信モジュールが第１のダウンリンク制御情報を受信した場合、第１のメッセージが変更されたことを示し、かつ、第１のダウンリンク制御情報において保持される指示情報を含む。
【００１５】
第１の態様又は第１の態様の第１から第９の可能な実装方式のいずれか１つに関連して、第１の態様の第１０の可能な実装方式において、第１の受信モジュールは、端末デバイスが第１のメッセージを格納しない場合、ネットワークデバイスがマルチキャスト制御情報を送信した時点で第１のメッセージを受信し、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信するようにさらに構成される。
【００１６】
第２の態様によれば、ネットワークデバイスが提供される。ネットワークデバイスは、第１のメッセージを端末デバイスに送信するように構成される第１の送信モジュールであって、第１のメッセージは、少なくとも１つのグループサービス識別子を含み、１つのグループサービス識別子は、１つのグループサービスに対応する、第１の送信モジュールと、少なくとも１つのグループサービス識別子に対応するグループサービスを端末デバイスに送信するように構成される第２の送信モジュールと、を含む。
【００１７】
第２の態様に関連して、第２の態様の第１の可能な実装方式において、ネットワークデバイスは、第３の送信モジュールをさらに含む。第３の送信モジュールは、第１のメッセージの構成情報を送信するように構成され、これにより、端末デバイスは、第１のメッセージの構成情報に従って、第１のメッセージを受信する。第１のメッセージの構成情報は、第１のメッセージを送信するための時間パターン、第１のＲＮＴＩ、ならびに第１のメッセージの変調及び符号化スキームの情報の少なくとも１つを含む。
【００１８】
第２の態様の第１の可能な実装方式に関連して、第２の態様の第２の可能な実装方式において、第３の送信モジュールによって第１のメッセージを送信するための時間パターンは、第１のメッセージの変更周期、第１のメッセージを送信するための反復係数、及び第１のメッセージの時間オフセットの情報の少なくとも１つを含む。
【００１９】
第２の態様の第２の態様又は第１もしくは第２の可能な実装方式のいずれか１つに関連して、第２の態様の第３の可能な実装方式において、第１の送信モジュールによって送信された第１のメッセージは、第１のメッセージを送信するための周期、第１のメッセージの変更周期、少なくとも１つのグループサービスにおける各グループサービスの時間オフセット、第２のＲＮＴＩ、及び各グループサービスの論理チャネル番号の情報の少なくとも１つをさらに含む。
【００２０】
第２の態様又は第２の態様の第１もしくは第２の可能な実装方式のいずれか１つに関連して、第２の態様の第３の可能な実装方式において、第１の送信モジュールは、第１のメッセージが変更されたことを示す指示情報を端末デバイスに送信することであって、指示情報を保持するページングメッセージを端末デバイスに送信すること、又は、指示情報を保持するＳＩＢ１メッセージを端末デバイスに送信すること、又は、指示情報を保持する第１のダウンリンク制御情報を端末デバイスに送信することを含むことを実行するようにさらに構成される。
【００２１】
第３の態様によれば、グループ通信方法が提供される。方法は、ネットワークデバイスによって送信された第１のメッセージを端末デバイスによって受信する段階であって、第１のメッセージは、少なくとも１つのグループサービス識別子を含み、１つのグループサービス識別子は、１つのグループサービスに対応する、段階と、端末デバイスによって、第１のメッセージに従って、端末デバイスの第１のグループサービス識別子に対応する第１のグループサービスを受信する段階と、を含む。
【００２２】
第３の態様に関連して、第３の態様の第１の可能な実装方式において、方法は、端末デバイスによって、第１のメッセージの構成情報を受信し、第１のメッセージの構成情報に従って、第１のメッセージを受信する段階を含む。第１のメッセージの構成情報は、ネットワークデバイスによって第１のメッセージを送信するために用いられる時間パターン、第１のＲＮＴＩ、及び第１のメッセージの変調及び符号化スキームの情報の少なくとも１つを含む。
【００２３】
第３の態様の第１の可能な実装方式に関連して、第３の態様の第２の可能な実装方式において、第１のメッセージを送信するためにネットワークデバイスによって用いられる時間パターンは、第１のメッセージの変更周期、第１のメッセージを送信するための反復係数、及び第１のメッセージの時間オフセットの情報の少なくとも１つを含む。
【００２４】
第３の態様の第１又は第２の可能な実装方式に関連して、第３の態様の第３の可能な実装方式において、端末デバイスによって、第１のメッセージの構成情報を受信し、第１のメッセージの構成情報に従って、第１のメッセージを受信する段階は、構成情報が第１のＲＮＴＩを含む場合、端末デバイスによって、第１のＲＮＴＩに従って、第１のダウンリンク制御情報を受信し、第１のダウンリンク制御情報に従って、第１のメッセージを受信する段階、又は、構成情報が第１のＲＮＴＩを含まない場合、端末デバイスによって、第１のデフォルトＲＮＴＩに従って、第１のダウンリンク制御情報を受信し、ダウンリンク制御情報に従って、第１のメッセージを受信する段階を含む。
【００２５】
第３の態様又は第１の態様の第１から第３の可能な実装方式のいずれか１つに関連して、第３の態様の第４の可能な実装方式において、少なくとも１つのグループサービス識別子が端末デバイスの第１のグループサービス識別子を含む場合、端末デバイスは、第１のメッセージに従って、第１のグループサービスを受信する。
【００２６】
第３の態様又は第３の態様の第１から第４の可能な実装方式のいずれか１つに関連して、第３の態様の第５の可能な実装方式において、第１のメッセージは、ネットワークデバイスによって第１のメッセージを送信するための周期、第１のメッセージの変更周期、少なくとも１つのグループサービスにおける各グループサービスの時間オフセット、第２のＲＮＴＩ、及び各グループサービスの論理チャネル番号の情報の少なくとも１つをさらに含む。
【００２７】
第３の態様又は第３の態様の第１から第５の可能な実装方式のいずれか１つに関連して、第３の態様の第６の可能な実装方式において、端末デバイスによって、第１のメッセージに従って、端末デバイスの第１のグループサービス識別子に対応する第１のグループサービスを受信する段階は、第１のメッセージが第２のＲＮＴＩを含む場合、端末デバイスによって、第２のＲＮＴＩに従って、第２のダウンリンク制御情報を受信し、第２のダウンリンク制御情報に従って、第１のグループサービスを受信する段階、又は、第１のメッセージが第２のＲＮＴＩを含まない場合、端末デバイスによって、第２のデフォルトＲＮＴＩに従って、第２のダウンリンク制御情報を受信し、第２のダウンリンク制御情報に従って、第１のグループサービスを受信する段階を含む。
【００２８】
第３の態様の第６の可能な実装方式に関連して、第３の態様の第７の可能な実装方式において、端末デバイスによって、第１のメッセージに従って、端末デバイスの第１のグループサービス識別子に対応する第１のグループサービスを受信する段階は、端末デバイスによって、第２のダウンリンク制御情報に従って、ＭＡＣ  ＰＤＵを受信する段階と、第１のメッセージが各グループサービスの論理チャネル番号を含む場合、端末デバイスによって、各グループサービスの論理チャネル番号における第１のグループサービスの論理チャネル番号に従って、第１のグループサービスのＭＡＣ  ＳＤＵを受信する段階、又は、第１のメッセージが各グループサービスの論理チャネル番号を含まない場合、端末デバイスによって、第１のグループサービス識別子に従って、第１のグループサービスのＭＡＣ  ＳＤＵを受信する段階を含む。
【００２９】
第３の態様の第７の可能な実装方式に関連して、第３の態様の第８の可能な実装方式において、ＭＡＣ  ＰＤＵは、ＭＡＣ  ＣＥを保持し、第１のグループサービスが終了したことを示す。
【００３０】
第３の態様又は第３の態様の第１から第８の可能な実装方式のいずれか１つに関連して、第３の態様の第９の可能な実装方式において、方法は、端末デバイスによって、変更指示情報に従って第１のメッセージが変更されたと決定する段階をさらに含む。変更指示情報は、第１のメッセージが変更されたことを示し、かつ、ページングメッセージにおいて保持される指示情報、又は、第１のメッセージが変更されたことを示し、かつ、ＳＩＢ１メッセージにおいて保持される指示情報、又は、端末デバイスが第１のダウンリンク制御情報を受信した場合、第１のメッセージが変更されたことを示し、かつ、第１のダウンリンク制御情報において保持される指示情報を含む。
【００３１】
第３の態様又は第３の態様の第１から第９の可能な実装方式のいずれか１つに関連して、第３の態様の第１０の可能な実装方式において、ネットワークデバイスによって送信された第１のメッセージを端末デバイスによって受信する段階は、端末デバイスが第１のメッセージを格納しない場合、ネットワークデバイスがマルチキャスト制御情報を送信した時点で第１のメッセージを受信する段階と、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信する段階と、を含む。
【００３２】
第４の態様によれば、グループ通信方法が提供される。グループ通信方法は、第１のメッセージを端末デバイスに送信する段階であって、第１のメッセージは、少なくとも１つのグループサービス識別子を含み、１つのグループサービス識別子は、１つのグループサービスに対応する、段階と、少なくとも１つのグループサービスを端末デバイスに送信する段階と、を含む。
【００３３】
第４の態様に関連して、第４の態様の第１の可能な実装方式において、方法は、第１のメッセージの構成情報を送信する段階をさらに含み、これにより、端末デバイスは、第１のメッセージの構成情報に従って、第１のメッセージを受信する。第１のメッセージの構成情報は、第１のメッセージを送信するための時間パターン、第１のＲＮＴＩ、ならびに第１のメッセージの変調及び符号化スキームの情報の少なくとも１つを含む。
【００３４】
第４の態様の第１の可能な実装方式に関連して、第４の態様の第２の可能な実装方式において、第１のメッセージを送信するための時間パターンは、第１のメッセージの変更周期、第１のメッセージを送信するための反復係数、及び第１のメッセージの時間オフセットの情報の少なくとも１つを含む。
【００３５】
第４の態様又は第４の態様の第１から第２の可能な実装方式のいずれか１つに関連して、第４の態様の第３の可能な実装方式において、第１のメッセージは、第１のメッセージを送信するための周期、第１のメッセージの変更周期、少なくとも１つのグループサービス識別子に対応する各グループサービスの時間オフセット、第２のＲＮＴＩ、及び各グループサービスの論理チャネル番号の情報の少なくとも１つをさらに含む。
【００３６】
第４の態様又は第４の態様の第１から第３の可能な実装方式のいずれか１つに関連して、第４の態様の第４の可能な実装方式において、方法は、第１のメッセージが変更されたことを示す指示情報を端末デバイスに送信する段階であって、指示情報を保持するページングメッセージを端末デバイスに送信する段階、又は、指示情報を保持するＳＩＢ１メッセージを端末デバイスに送信する段階、又は、指示情報を保持する第１のダウンリンク制御情報を端末デバイスに送信する段階を含む段階をさらに含む。
【００３７】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【図面の簡単な説明】
【００３８】
本発明の実施形態における技術的解決手段をより明確に説明すべく、以下、本発明の実施形態の説明に必要な添付図面を簡潔に説明する。以下の説明における添付図面は、本発明のいくつかの実施形態を示しているに過ぎず、当業者であれば、これらの添付図面から、創造的努力がなくとも他の図面をさらに導出し得ることは明らかである。
【００３９】
【図１】本発明の実施形態に係る端末デバイスの模式的なブロック図である。
【００４０】
【図２】本発明の他の実施形態に係る端末デバイスの模式的なブロック図である。
【００４１】
【図３】本発明の実施形態に係るネットワークデバイスの模式的なブロック図である。
【００４２】
【図４】本発明の他の実施形態に係るネットワークデバイスの模式的なブロック図である。
【００４３】
【図５】本発明の実施形態に係るグループ通信方法の模式的なフローチャートである。
【００４４】
【図６】本発明の他の実施形態に係るグループ通信方法の模式的なフローチャートである。
【００４５】
【図７】本発明のさらに他の実施形態に係るグループ通信方法の模式的なフローチャートである。
【００４６】
【図８】本発明のさらに他の実施形態に係るグループ通信方法の模式的なフローチャートである。
【００４７】
【図９】本発明の他の実施形態に係る端末デバイスの模式的なブロック図である。
【００４８】
【図１０】本発明の他の実施形態に係るネットワークデバイスの模式的なブロック図である。
【発明を実施するための形態】
【００４９】
以下、本発明の実施形態における添付図面を参照して、本発明の実施形態における技術的解決手段を明確かつ十分に説明する。説明される実施形態は、本発明の実施形態の全てではなく、一部であることは明らかである。本発明の実施形態に基づいて、当業者によって創造的努力なく得られる全ての他の実施形態は、本発明の保護範囲に属するものとする。
【００５０】
本発明の実施形態において、端末装置（英語でＴｅｒｍｉｎａｌ  Ｅｑｕｉｐｍｅｎｔ）は、ユーザ機器（英語でＵｓｅｒ  Ｅｑｕｉｐｍｅｎｔ、略してＵＥ）、顧客施設設備（英語でＣｕｓｔｏｍｅｒ  Ｐｒｅｍｉｓｅ  Ｅｑｕｉｐｍｅｎｔ、略してＣＰＥ）、移動局（英語でＭｏｂｉｌｅ  Ｓｔａｔｉｏｎ、略してＭＳ）、モバイル端末（英語でＭｏｂｉｌｅ  Ｔｅｒｍｉｎａｌ）等であってよいことを理解されたい。端末装置は、無線アクセスネットワーク（英語でＲａｄｉｏ  Ａｃｃｅｓｓ  Ｎｅｔｗｏｒｋ、略してＲＡＮ）を用いることによって、１つ又は複数のコアネットワークと通信を行ってよい。例えば、端末装置は、携帯電話（もしくは、「セルラ」フォンと称される）又はモバイル端末を有するコンピュータであってよい。例えば、端末装置は、ポータブル、ポケットサイズ、ハンドヘルド、コンピュータビルトイン、又は車載型のモバイル装置であってよく、これは、音声及び／又はデータを無線アクセスネットワークと交換する。しかしながら、本発明は、これに限定されるものではない。説明を容易にするために、ＵＥは、以下の実施形態における例として用いられる。
【００５１】
本発明の実施形態において、ネットワークデバイスは、基地局、強化型基地局、セル、リレー等であってよい。基地局は、ＬＴＥにおける進化型Ｎｏｄｅ  Ｂ（英語でＥｖｏｌｕｔｉｏｎａｌ  Ｎｏｄｅ  Ｂ、略してｅＮＢ又はｅ−Ｎｏｄｅ  Ｂ）であってよく、本発明に限定されるものではない。説明の便宜のために、以下の実施形態は、例としてｅＮＢを用いることによって説明される。
【００５２】
「システム」及び「ネットワーク」という用語は、本明細書において、互換的に用いられてよいことを理解されたい。本明細書における「及び／又は」という用語は、複数の関連オブジェクトを説明するための対応関係のみを説明し、３つの関係が存在し得ることを表す。例えば、Ａ及び／又はＢは、以下の３つの場合、すなわち、Ａのみが存在すること、Ａ及びＢの両方が存在すること、ならびにＢのみが存在することを表してよい。さらに、本明細書における「／」という記号は、概して、関連オブジェクト間の「又は」という関係を示す。
【００５３】
図１は、本発明の実施形態に係る端末デバイス１００の模式的なブロック図である。図１に示されるように、端末デバイス１００は、第１の受信モジュール１１０と、第２の受信モジュール１２０と、を含む。
【００５４】
第１の受信モジュール１１０は、ネットワークデバイスによって送信された第１のメッセージを受信するように構成される。第１のメッセージは、少なくとも１つのグループサービス識別子を含み、１つのグループサービス識別子は、１つのグループサービスに対応する。
【００５５】
第２の受信モジュール１２０は、第１の受信モジュール１１０によって受信された第１のメッセージに従って、端末デバイス１００の第１のグループサービス識別子に対応する第１のグループサービスを受信するように構成される。
【００５６】
具体的には、ネットワークデバイスによって送信された第１のメッセージは、グループサービス識別子リストを含んでよい。グループサービス識別子リストは、ネットワークデバイスによって送信されるべき少なくとも１つのグループサービスのグループサービス識別子を含む。グループサービス識別子リストは、１つ又は複数のグループサービス識別子を含んでよく、１つのグループサービス識別子は、１つのグループサービスに対応する。第１のメッセージは、独立したブロードキャストメッセージであってよい、又は、他のブロードキャストメッセージにおいて具体的な情報の形で保持されてよいことを理解されたい。具体的には、第１のメッセージは、マルチキャスト制御チャネル（英語でＭｕｌｔｉｃａｓｔ  Ｃｏｎｔｒｏｌ  Ｃｈａｎｎｅｌ、略してＭＣＣＨ）メッセージ、グループ構成メッセージ、マルチキャスト制御メッセージ、又はマルチキャスト構成メッセージであってよく、本発明は、これに限定されるものではない。具体的には、グループサービス識別子リストは、少なくとも１つのグループサービスに対応する一時モバイルグループ識別子（英語でＴｅｍｐｏｒａｒｙ  Ｍｏｂｉｌｅ  Ｇｒｏｕｐ  Ｉｄｅｎｔｉｔｙ、略してＴＭＧＩ）を含むＴＭＧＩリストであってよく、本発明は、これに限定されるものではない。端末デバイス１００の第１のグループサービス識別子は、関心対象であるグループサービス識別子又は端末デバイス１００によって加入されたグループサービス識別子を指す。具体的には、端末デバイス１００は、ユーザサービス記述（英語でｕｓｅｒ  ｓｅｒｖｉｃｅ  ｄｅｓｃｒｉｐｔｉｏｎ、略してＵＳＤ）から、関心対象であるグループサービス識別子又は加入されたグループサービス識別子を取得する。
【００５７】
第２の受信モジュール１２０において、端末デバイスは、第１のメッセージにおけるグループサービス識別子に従って、受信されることを必要とするグループサービスを区別及び識別する。このように、端末デバイスは、受信されることを意図されるグループサービスを受信する。
【００５８】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【００５９】
任意に、本発明の実施形態において、図２は、本発明の実施形態に係る端末デバイス２００の模式的なブロック図である。図２に示されるように、端末デバイス２００は、第１の受信モジュール２１０と、第２の受信モジュール２２０と、第３の受信モジュール２３０と、を含む。
【００６０】
第１の受信モジュール２１０は、ネットワークデバイスによって送信された第１のメッセージを受信するように構成される。第１のメッセージは、少なくとも１つのグループサービス識別子を含み、１つのグループサービス識別子は、１つのグループサービスに対応する。
【００６１】
第２の受信モジュール２２０は、第１の受信モジュール２１０によって受信された第１のメッセージに従って、端末デバイス２００の第１のグループサービス識別子に対応する第１のグループサービスを受信するように構成される。
【００６２】
第３の受信モジュール２３０は、第１のメッセージの構成情報を受信するように構成され、これにより、端末デバイスの第１の受信モジュールは、第１のメッセージの構成情報に従って、第１のメッセージを受信する。第３の受信モジュールによって受信された第１のメッセージの構成情報は、ネットワークデバイスによって第１のメッセージを送信するために用いられる時間パターン、第１のメッセージの変調及び符号化スキーム、及び第１のＲＮＴＩの情報の少なくとも１つを含む。第１のメッセージの変調及び符号化スキームは、具体的には、以下の通りであってよい。例えば、第１のメッセージの変調スキームは、四位相偏移変調（英語でＱｕａｄｒａｔｕｒｅ  Ｐｈａｓｅ  Ｓｈｉｆｔ  Ｋｅｙｉｎｇ、略してＱＰＳＫ）であり、符号化スキームは、１／３符号化である、又は、第１のメッセージの変調スキームは、ＱＰＳＫであり、符号化スキームは、１／２符号化である。他の符号化又は変調スキームが用いられてもよく、本発明は、これに限定されるものではないことを理解されたい。第１のＲＮＴＩは、ネットワークデバイスによって第１のメッセージをスケジューリング及び送信するために用いられるＲＮＴＩを指す。
【００６３】
任意に、本発明の実施形態において、ネットワークデバイスによって第１のメッセージを送信するために用いられ、かつ、第３の受信モジュールによって受信される時間パターンは、第１のメッセージの変更周期、第１のメッセージを送信するための反復係数、及び第１のメッセージの時間オフセットの情報の少なくとも１つを含む。第１のメッセージの変更周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。第１のメッセージを送信するための反復回数は、第１のメッセージが１つの変更周期Ｔ'内で反復的に送信される回数を表し、例えば、具体的には２、４、６、８等であってよい。第１のメッセージの時間オフセットは、例えば、０ｍｓ、１ｍｓ、２ｍｓ、３ｍｓ等である。第１のメッセージの時間パターンが第１のメッセージの時間オフセットを含まない場合、第１のメッセージの時間オフセットは、例えば、０又は１の固定値である。上に列挙された値は例に過ぎず、変更周期Ｔ'の他の可能な値は全て、本発明の保護範囲に属し、本発明は、これに限定されるものではないことも理解されたい。
【００６４】
任意に、本発明の実施形態において、第１の受信モジュールは、第１の受信ユニットをさらに含む。
【００６５】
第３の受信モジュールによって受信された構成情報が第１のＲＮＴＩを含む場合、第１の受信ユニットは、第１のＲＮＴＩに従って、第１のダウンリンク制御情報を受信するように構成される。第３の受信モジュールによって受信された構成情報が第１のＲＮＴＩを含まない場合、第１の受信ユニットは、第１のデフォルトＲＮＴＩに従って、第１のダウンリンク制御情報を受信するように構成される。具体的には、構成情報が第１のＲＮＴＩを含む場合、端末デバイスは、第１のＲＮＴＩにおける第１のグループサービスに対応するＲＮＴＩに従って、第１のダウンリンク制御情報を解析し、第１のダウンリンク制御情報に従って、第１のメッセージを受信する。第１のメッセージが第１のＲＮＴＩを含まない場合、端末デバイスは、第１のデフォルトＲＮＴＩに従って、第１のダウンリンク制御情報を受信する。第１のダウンリンク制御情報は、第１のメッセージをスケジューリングするために用いられるダウンリンク制御情報である。第１のデフォルトＲＮＴＩは、ネットワークデバイスによって第１のメッセージをスケジューリング及び送信するために用いられるデフォルトＲＮＴＩである。例えば、第１のデフォルトＲＮＴＩは、ＦＦＦ４、ＦＦＦＣ等であってよく、本発明は、これに限定されるものではない。
【００６６】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【００６７】
任意に、本発明の実施形態において、ネットワークデバイスによって送信された少なくとも１つのグループサービス識別子が端末デバイスの第１のグループサービス識別子を含む場合、端末デバイスの第２の受信モジュールは、第１の受信モジュールによって受信された第１のメッセージに従って、第１のグループサービスを受信するように構成される。
【００６８】
ネットワークデバイスによって送信されたグループサービス識別子リストが端末デバイスのグループサービス識別子を含まない場合、端末デバイスは、ネットワークデバイスによって送信されたグループサービスデータを受信せず、ネットワークデバイスによって送信されたグループサービス識別子リストが端末デバイスのグループサービス識別子を含む場合のみ、端末デバイスは、ネットワークデバイスによって送信され、かつ、端末デバイスのグループサービス識別子に対応するグループサービスデータを受信することを理解されたい。例えば、ネットワークデバイスによって送信されるべきグループサービスがグループサービスＡ、グループサービスＢ、及びグループサービスＣである場合、グループサービス識別子リストは、３つのグループサービス識別子Ａ、Ｂ、及びＣを含む。３つのグループサービス識別子Ａ、Ｂ、及びＤは、端末デバイスの要件に従って、端末デバイスに対して予め示されてよい。この場合、端末デバイスは、ネットワーク側デバイスによって送信されるサービスＡ及びサービスＢのみを受信し、サービスＣを受信することができない。
【００６９】
任意に、本発明の実施形態において、第１の受信モジュールによって受信された第１のメッセージは、ネットワークデバイスによって第１のメッセージを送信するための周期、第１のメッセージの変更周期、少なくとも１つのグループサービス識別子に対応する各グループサービスの時間オフセット、各グループサービスの論理チャネル番号、及び第２の無線ネットワーク一時識別子（英語でＲａｄｉｏ  Ｎｅｔｗｏｒｋ  Ｔｅｍｐｏｒａｒｙ  Ｉｄｅｎｔｉｆｉｅｒ、略してＲＮＴＩ）の情報の少なくとも１つをさらに含む。ネットワークデバイスによって第１のメッセージを送信するための周期Ｔは、第１のメッセージがメッセージを送信するために用いられる周波数を表す。具体的には、周期Ｔは、２０ｍｓ、５０ｍｓ、１００ｍｓ、５００ｍｓ等であってよい。第１のメッセージの変更周期Ｔ'に対して、周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。ネットワークデバイスによって送信される各グループサービスの論理チャネル番号は、グループサービスによって用いられる論理チャネルを表すために用いられる。論理チャネル番号は、１２ビット、例えば、０００００００００００１によって、又は、５ビット、例えば、００００１によって、又は、６から１３の範囲の任意のビット数によって、表されてよい。用いられるビット数は、ネットワークによって予め設定された長さ、又は、第１のメッセージによって示される長さであってよい。第２のＲＮＴＩは、ネットワークデバイスによって送信されたグループサービスをスケジューリングするために用いられるＲＮＴＩを指す。第２のＲＮＴＩは、複数のグループサービスをスケジューリングするために用いられる１つのＲＮＴＩを指してよい、又は、複数のグループサービスをスケジューリングするために用いられる異なるＲＮＴＩを指してよいことを理解されたい。すなわち、各グループサービスは、対応するＲＮＴＩを有し、各ＲＮＴＩは、１つ又は複数のグループサービスに対応してよく、本発明は、これに限定されるものではない。上に列挙された値は例に過ぎず、周期Ｔ又はＴ'の他の可能な値は全て、本発明の保護範囲に属し、本発明は、これに限定されるものではないことも理解されたい。
【００７０】
任意に、本発明の実施形態において、端末デバイスの第２の受信モジュールは、第２の受信ユニットを含む。ネットワークデバイスによって送信された第１のメッセージが第２のＲＮＴＩを含む場合、第２の受信ユニットは、第２のＲＮＴＩに従って、第２のダウンリンク制御情報（英語でＤｏｗｎｌｉｎｋ  Ｃｏｎｔｒｏｌ  Ｉｎｆｏｒｍａｔｉｏｎ、略してＤＣＩ）を受信するように構成される。第１のメッセージが第２のＲＮＴＩを含まない場合、第２の受信ユニットは、第２のデフォルトＲＮＴＩに従って、第２のダウンリンク制御情報を受信するように構成される。具体的には、第１のメッセージが第２のＲＮＴＩを含む場合に、端末デバイスが第１のグループサービス識別子に対応する第１のグループサービスを受信する必要がある場合、端末デバイスは、第２のＲＮＴＩにおける第１のグループサービスに対応するＲＮＴＩに従って、第２のダウンリンク制御情報を解析し、第２のダウンリンク制御情報に従って、第１のグループサービスを受信する。第１のメッセージが第２のＲＮＴＩを含まない場合、端末デバイスは、第２のデフォルトＲＮＴＩに従って、第２のダウンリンク制御情報を受信する。第２のダウンリンク制御情報は、ネットワークデバイスによって送信されたグループサービスデータをスケジューリングするために用いられるダウンリンク制御情報である。第２のデフォルトＲＮＴＩは、ネットワークデバイスによって送信されたグループサービスをスケジューリングするために用いられるデフォルトＲＮＴＩである。例えば、第２のデフォルトＲＮＴＩは、ＦＦＦ４、ＦＦＦＣ等であってよく、本発明は、これに限定されるものではない。
【００７１】
具体的には、第２のＲＮＴＩ又は第２のデフォルトＲＮＴＩに従って、第２のダウンリンク制御情報を受信する段階は、第１のグループサービスに対応するスケジューリング時間において、第１のグループサービスのＲＮＴＩとスクランブルされる第２のダウンリンク制御情報を解析する段階である。第１のグループサービスのスケジューリング時間は、第１のグループサービスのシステムフレーム番号＊１０とサブフレームインデックスとの和を用いることによって、周期Ｔに対して剰余演算を実行することによって取得され、かつ、第１のグループサービスに対応する時間オフセットに等しい時点である。
【００７２】
任意に、本発明の実施形態において、第２の受信モジュールは、第３の受信ユニットをさらに含む。第３の受信ユニットは、第２の受信ユニットによって受信された第２のダウンリンク制御情報に従って、第２の受信モジュールによって受信されたメディアアクセス制御パケットデータ単位（英語でＭｅｄｉａ  Ａｃｃｅｓｓ  Ｃｏｎｔｒｏｌ  Ｐａｃｋｅｔ  Ｄａｔａ  Ｕｎｉｔ、略してＭＡＣ  ＰＤＵ）を受信し、第１の受信モジュールによって受信された第１のメッセージが少なくとも１つのグループサービスにおける各グループサービスの論理チャネル番号を含む場合、第２の受信ユニットによって受信された少なくとも１つのグループサービスにおける第１のグループサービスの論理チャネル番号に従って、第２の受信モジュールによって受信されたメディアアクセス制御サービスデータ単位（英語でＭｅｄｉａ  Ａｃｃｅｓｓ  Ｃｏｎｔｒｏｌ  Ｓｅｒｖｉｃｅ  Ｄａｔａ  Ｕｎｉｔ、略してＭＡＣ  ＳＤＵ）を取得する、又は、第１の受信モジュールによって受信された第１のメッセージが少なくとも１つのグループサービスにおける各グループサービスの論理チャネル番号を含まない場合、第１のグループサービス識別子に従って、第２の受信モジュールによって受信された第１のグループサービスのＭＡＣ  ＳＤＵを取得するように構成される。ＭＡＣ  ＰＤＵは、少なくとも１つのグループサービスのＭＡＣ  ＳＤＵを含むパケットデータ単位を指し、本発明は、これに限定されるものではないことを理解されたい。
【００７３】
具体的には、例えば、端末デバイスによって受信された第１のメッセージが、ネットワークデバイスによって送信されるグループサービスＡ、グループサービスＢ、及びグループサービスＣの論理チャネル番号Ａ、Ｂ、及びＣを含む場合、対応するチャネルＡは、グループサービスＡに対応するチャネル番号Ａを用いることによって発見可能であり、グループサービスＢに対応するチャネル番号Ｂ及びグループサービスＣに対応するチャネルＣ、ならびに第２の受信モジュールによって受信されたＭＡＣ  ＳＤＵが取得される。この場合、第１のメッセージが論理チャネル番号を含まない場合、グループサービスＡ、Ｂ、及びＣは全て、これらのグループサービス識別子に従って、かつ、全グループサービスに割り当てられたチャネルを用いることによって、グループサービスに対応し、かつ、第２の受信モジュールによって受信されるＭＡＣ  ＳＤＵを取得する。
【００７４】
本発明の実施形態において、任意に、第２の受信モジュールによって受信されるＭＡＣ  ＰＤＵは、メディアアクセス制御（英語でＭｅｄｉａ  Ａｃｃｅｓｓ  Ｃｏｎｔｒｏｌ  Ｃｏｎｔｒｏｌ  Ｅｌｅｍｅｎｔ、略してＭＡＣ  ＣＥ）を保持し、第１のグループサービスが終了したことを示す。サービスが終了したことを示すＭＡＣ  ＣＥを含むＭＡＣ  ＰＤＵは、一度送信されてよい、又は、複数回、例えば、３回又は５回反復的に送信されてよく、端末デバイスの受信信頼性を向上させる。特定の実装方式は、ＭＡＣ  ＣＥが、端末デバイスによって送信されたグループサービス識別子又はグループサービスの論理チャネル番号を含み、端末デバイスが特定のグループサービス識別子又は論理チャネル番号を含むＭＡＣ  ＣＥを受信した場合、サービスが終了したとみなされるものであってよい。代わりに、特定の実装方式は、端末デバイスによって送信されたＭＡＣ  ＣＥがグループサービスに対応するグループサービス識別子又は論理チャネル番号を含まない場合、サービスが終了したことを示すＭＡＣ  ＣＥを含むＭＡＣ  ＰＤＵに含まれる全てのグループサービスが、終了したものとみなされるものであってよい。本発明の本実施形態において説明される番号は、例に過ぎないことを理解されたい。ＭＡＣ  ＣＥは、少なくとも１つのグループサービスが終了したことを示すＭＡＣ制御ユニットであり、本発明は、これに限定されるものではないことも理解されたい。
【００７５】
本発明の実施形態において、任意に、端末デバイスは、決定モジュールをさらに含む。決定モジュールは、変更指示メッセージに従って、第１の受信モジュールによって受信された第１のメッセージが変更されたと決定するように構成される。変更指示情報は、第１のメッセージが変更されたことを示し、かつ、ページングメッセージにおいて保持される指示情報、又は、第１のメッセージが変更されたことを示し、かつ、システム情報ブロック１（英語でＳｙｓｔｅｍ  Ｉｎｆｏｒｍａｔｉｏｎ  Ｂｌｏｃｋ  １、略してＳＩＢ１）において保持される指示情報、又は、第２の受信モジュールが第１のダウンリンク制御情報を受信した場合、第１のメッセージが変更されたことを示し、かつ、第１のダウンリンク制御情報において保持される指示情報を含む。ＳＩＢ１メッセージにおいて保持される第１のメッセージの変更指示メッセージ、又は、第１のメッセージが変更されたことを示し、かつ、第１のメッセージのダウンリンク制御情報において保持される指示情報は、具体的には、４ビット、５ビット等の長さを有し得るラベル値であってよい。ダウンリンク制御情報は、１／１Ａ／１Ｃのようなフォーマットであってよい。さらに、端末デバイスは、ＳＩＢ１メッセージにおいて保持される第１のメッセージの変更指示メッセージ、又は、第１のメッセージが変更されたことを示し、かつ、第１のメッセージのダウンリンク制御情報において保持される指示情報におけるラベル値と、格納されたラベル値を比較する。これらが異なる場合、第１のメッセージが変更されとみなされる。前述された代表値の長さ値は例に過ぎず、本発明は、これに限定されるものではないことを理解されたい。
【００７６】
本発明の実施形態において、任意に、第１の受信モジュールは、端末デバイスが第１のメッセージを格納しない場合、ネットワークデバイスがマルチキャスト制御情報を送信した時点で第１のメッセージを受信し、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信するようにさらに構成される。端末デバイスが第１のメッセージを格納しない場合、端末デバイスは、１つの第１のメッセージが正しく受信されるまで、第１のメッセージの各送信時点で、第１のメッセージの受信を試行する必要がある。端末デバイスは、ＳＩＢ１メッセージを用いることによって、第１のメッセージ送信時点を取得する、又は、ダウンリンク制御情報によってスケジューリングされた第１のメッセージの構成情報から、第１のメッセージ送信時点を取得し、第１のメッセージ送信時点で、第１のメッセージの受信を試行してよい。端末デバイスが既に第１のメッセージを格納した場合、第１のメッセージが変更されたと決定した場合には、端末デバイスは、変更された第１のメッセージに従って、第１のグループサービスを受信すべく、変更周期Ｔ'の経過後に、変更された第１のメッセージを受信開始する必要がある。
【００７７】
任意に、本発明の実施形態において、第１のメッセージの受信におけるユーザ機器の信頼性を向上させるべく、ネットワークデバイスが１つの変更周期Ｔ'における反復係数に等しい回数だけ第１のメッセージを送信する場合、異なる冗長性のバージョンが、第１のメッセージが送信される度に用いられてよい。このように、端末デバイスは、複数の第１のメッセージを組み合わせることによって、第１のメッセージを正しく受信することができ、これにより、第１のメッセージの受信におけるユーザの信頼性を向上させる。
【００７８】
任意に、本発明の実施形態において、第１のメッセージの受信におけるユーザ機器の信頼性を向上させるべく、第１のメッセージは、第１のメッセージの各スケジューリング時点に対応するサブフレームから開始するＮ個の連続サブフレームにおいて送信される。サブフレームにおいて送信される第１のメッセージは、同じであってよく、又は、異なる冗長性のバージョンが用いられてよい。このように、端末デバイスは、複数の第１のメッセージを組み合わせることによって、第１のメッセージを正しく受信することができ、これにより、第１のメッセージの受信におけるユーザの信頼性を向上させる。
【００７９】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【００８０】
本発明の実施形態に係る端末デバイスは、図１及び図２を参照して詳細に上述されている。本発明の実施形態に係るネットワークデバイスは、図３及び図４を参照して詳細に後述される。
【００８１】
図３は、本発明の実施形態に係るネットワークデバイスの模式的なブロック図である。図３に示されるように、ネットワークデバイスは、第１の送信モジュール３１０と、第２の送信モジュール３２０と、を含む。
【００８２】
第１の送信モジュール３１０は、第１のメッセージを端末デバイスに送信するように構成される。第１のメッセージは、少なくとも１つのグループサービス識別子を含み、１つのグループサービス識別子は、１つのグループサービスに対応する。
【００８３】
第２の送信モジュール３２０は、少なくとも１つのグループサービス識別子に対応するグループサービスを端末デバイスに送信するように構成される。
【００８４】
具体的には、ネットワークデバイスの第１の送信モジュール３１０によって送信された第１のメッセージは、グループサービス識別子リストを含んでよい。グループサービス識別子リストは、ネットワークデバイスによって送信されるべき少なくとも１つのグループサービスのグループサービス識別子を含む。グループサービス識別子リストは、１つ又は複数のグループサービス識別子を含んでよく、１つのグループサービス識別子は、１つのグループサービスに対応する。第１のメッセージは、独立したブロードキャストメッセージであってよい、又は、他のブロードキャストメッセージにおいて具体的な情報の形で保持されてよいことを理解されたい。具体的には、第１のメッセージは、ＭＣＣＨメッセージ又はグループ構成メッセージであってよく、本発明は、これに限定されるものではない。具体的には、グループサービス識別子リストは、少なくとも１つのグループサービスに対応するＴＭＧＩを含むＴＭＧＩリストであってよく、本発明は、これに限定されるものではない。ネットワークデバイスの第２の送信モジュール３２０によって送信されるグループサービスは、グループサービス識別子リストに含まれる１つ又は複数のグループサービス識別子に対応するグループサービスである。１つのグループサービス識別子は、１つのグループサービスに対応する。
【００８５】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【００８６】
任意に、本発明の実施形態において、図４は、本発明の他の実施形態に係るネットワークデバイスの模式的なブロック図である。ネットワークデバイスは、第１の送信モジュール４１０と、第２の送信モジュール４２０と、第３の送信モジュール４３０と、を含む。
【００８７】
第１の送信モジュール４１０は、第１のメッセージを端末デバイスに送信するように構成される。第１のメッセージは、少なくとも１つのグループサービス識別子を含み、１つのグループサービス識別子は、１つのグループサービスに対応する。
【００８８】
第２の送信モジュール４２０は、少なくとも１つのグループサービス識別子に対応するグループサービスを端末デバイスに送信するように構成される。
【００８９】
第３の送信モジュール４３０は、第１のメッセージの構成情報を送信するように構成され、これにより、端末デバイスは、第１のメッセージの構成情報に従って、第１のメッセージを受信する。第１のメッセージの構成情報は、第１のメッセージを送信するための時間パターン、第１のメッセージの変調及び符号化スキーム、及び第１のＲＮＴＩの情報の少なくとも１つを含む。第１のメッセージの変調及び符号化スキームは、具体的には、以下の通りであってよい。例えば、第１のメッセージの変調スキームは、四位相偏移変調（英語でＱｕａｄｒａｔｕｒｅ  Ｐｈａｓｅ  Ｓｈｉｆｔ  Ｋｅｙｉｎｇ、略してＱＰＳＫ）であり、符号化スキームは、１／３符号化である、又は、第１のメッセージの変調スキームは、ＱＰＳＫであり、符号化スキームは、１／２符号化である。他の符号化又は変調スキームが用いられてもよく、本発明は、これに限定されるものではないことを理解されたい。第１のＲＮＴＩは、ネットワークデバイスによって第１のメッセージをスケジューリング及び送信するために用いられるＲＮＴＩを指す。
【００９０】
任意に、本発明の実施形態において、第３の送信モジュールによって第１のメッセージを送信するための時間パターンは、第１のメッセージの変更周期、第１のメッセージを送信するための反復係数、及び第１のメッセージの時間オフセットの情報の少なくとも１つを含む。第１のメッセージの変更周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。第１のメッセージを送信するための反復回数は、第１のメッセージが１つの変更周期Ｔ'内で反復的に送信された回数を表し、例えば、具体的には２、４、６、８等であってよい。第１のメッセージの時間オフセットは、例えば、０ｍｓ、１ｍｓ、２ｍｓ、３ｍｓ等である。第１のメッセージの時間パターンが第１のメッセージの時間オフセットを含まない場合、第１のメッセージの時間オフセットは、例えば、０又は１の固定値である。上に列挙された値は例に過ぎず、変更周期Ｔ'の他の可能な値は、全て、本発明の保護範囲に属し、本発明は、これに限定されるものではないことも理解されたい。
【００９１】
任意に、本発明の実施形態において、第１の送信モジュールによって送信された第１のメッセージは、第１のメッセージを送信するための周期、第１のメッセージの変更周期、少なくとも１つのグループサービスにおける各グループサービスの時間オフセット、各グループサービスの論理チャネル番号、及び第２のＲＮＴＩの情報の少なくとも１つをさらに含む。ネットワークデバイスによって第１のメッセージを送信するための周期Ｔは、第１のメッセージがメッセージを送信するために用いられる周波数を表す。具体的には、周期Ｔは、２０ｍｓ、５０ｍｓ、１００ｍｓ、５００ｍｓ等であってよい。第１のメッセージの変更周期Ｔ'に対して、周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。ネットワークデバイスによって送信される各グループサービスの論理チャネル番号は、グループサービスによって用いられる論理チャネルを表すために用いられる。第２のＲＮＴＩは、ネットワークデバイスによって送信されたグループサービスをスケジューリングするために用いられるＲＮＴＩを指す。第２のＲＮＴＩは、複数のグループサービスをスケジューリングするために用いられる１つのＲＮＴＩを指してよい、又は、複数のグループサービスをスケジューリングするために用いられる異なるＲＮＴＩを指してよいことを理解されたい。すなわち、各グループサービスは、対応するＲＮＴＩを有し、各ＲＮＴＩは、１つ又は複数のグループサービスに対応してよく、本発明は、これに限定されるものではない。上に列挙された値は例に過ぎず、周期Ｔ又はＴ'の他の可能な値は全て、本発明の保護範囲に属し、本発明は、これに限定されるものではないことも理解されたい。
【００９２】
任意に、本発明の実施形態において、第１の送信モジュールは、第１のメッセージが変更されたことを示す指示情報を端末デバイスに送信することであって、指示情報を保持するページングメッセージを端末デバイスに送信すること、又は、指示情報を保持するＳＩＢ１メッセージを端末デバイスに送信すること、又は、指示情報を保持する第１のダウンリンク制御情報を端末デバイスに送信することを含むことを実行するようにさらに構成される。ＳＩＢ１メッセージにおいて保持される第１のメッセージの変更指示メッセージ、又は、第１のメッセージが変更されたことを示し、かつ、第１のダウンリンク制御情報において保持される指示情報は、具体的には、４ビット、５ビット等の長さを有し得るラベル値であってよい。ダウンリンク制御情報は、１／１Ａ／１Ｃのようなフォーマットであってよい。さらに、端末デバイスは、ＳＩＢ１メッセージにおいて保持される第１のメッセージの変更指示メッセージ、又は、第１のメッセージが変更されたことを示し、かつ、第１のダウンリンク制御情報において保持される指示情報におけるラベル値と、格納されたラベル値を比較する。これらが異なる場合、第１のメッセージが変更されとみなされる。前述された代表値の長さ値は例に過ぎず、本発明は、これに限定されるものではないことを理解されたい。
【００９３】
任意に、本発明の実施形態において、第１のメッセージの受信におけるユーザ機器の信頼性を向上させるべく、ネットワークデバイスが１つの変更周期Ｔ'における反復係数に等しい回数だけ第１のメッセージを送信する場合、異なる冗長性のバージョンが、第１のメッセージが送信される度に用いられてよい。このように、端末デバイスは、複数の第１のメッセージを組み合わせることによって、第１のメッセージを正しく受信することができ、これにより、第１のメッセージの受信におけるユーザの信頼性を向上させる。
【００９４】
任意に、本発明の実施形態において、第１のメッセージの受信におけるユーザ機器の信頼性を向上させるべく、第１のメッセージは、第１のメッセージの各スケジューリング時点に対応するサブフレームから開始するＮ個の連続サブフレームにおいて送信される。サブフレームにおいて送信される第１のメッセージは、同じであってよく、又は、異なる冗長性のバージョンが用いられてよい。このように、端末デバイスは、複数の第１のメッセージを組み合わせることによって、第１のメッセージを正しく受信することができ、これにより、第１のメッセージの受信におけるユーザの信頼性を向上させる。
【００９５】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【００９６】
図１から図４は、ネットワークデバイス及び端末デバイスを詳細に説明する。本発明の実施形態に係るグループ通信方法の模式的なフローチャートは、図５及び図６を参照して後述される。
【００９７】
図５は、本発明の実施形態に係るグループ通信方法の模式的なフローチャートである。方法５００における手続きは、本発明の実施形態に係る端末デバイス１００又は端末デバイス２００の対応する部分によって、個別に実行及び実装されてよい。簡潔性のために、詳細は、本明細書において再度説明されない。図５に示されるように、方法５００は、以下の段階を含む。
【００９８】
Ｓ５１０において、端末デバイスは、ネットワークデバイスによって送信された第１のメッセージを受信する。第１のメッセージは、少なくとも１つのグループサービス識別子を含み、１つのグループサービス識別子は、１つのグループサービスに対応する。
【００９９】
Ｓ５２０において、端末デバイスは、第１のメッセージに従って、端末デバイスの第１のグループサービス識別子に対応する第１のグループサービスを受信する。
【０１００】
具体的には、ネットワークデバイスによって送信された第１のメッセージは、グループサービス識別子リストを含んでよい。グループサービス識別子リストは、ネットワークデバイスによって送信されるべき少なくとも１つのグループサービスのグループサービス識別子を含む。グループサービス識別子リストは、１つ又は複数のグループサービス識別子を含んでよく、１つのグループサービス識別子は、１つのグループサービスに対応する。第１のメッセージは、独立したブロードキャストメッセージであってよい、又は、他のブロードキャストメッセージにおいて具体的な情報の形で保持されてよいことを理解されたい。具体的には、第１のメッセージは、マルチキャスト制御チャネル（英語でＭｕｌｔｉｃａｓｔ  Ｃｏｎｔｒｏｌ  Ｃｈａｎｎｅｌ、略してＭＣＣＨ）メッセージ又はマルチキャスト構成メッセージであってよく、本発明は、これに限定されるものではない。具体的には、グループサービス識別子リストは、少なくとも１つのグループサービスに対応する一時モバイルグループ識別子（英語でＴｅｍｐｏｒａｒｙ  Ｍｏｂｉｌｅ  Ｇｒｏｕｐ  Ｉｄｅｎｔｉｔｙ、略してＴＭＧＩ）を含むＴＭＧＩリストであってよく、本発明は、これに限定されるものではない。端末デバイス１００の第１のグループサービス識別子は、関心対象であるグループサービス識別子又は端末デバイス１００によって加入されたグループサービス識別子を指す。具体的には、端末デバイス１００は、ユーザサービス記述（英語でｕｓｅｒ  ｓｅｒｖｉｃｅ  ｄｅｓｃｒｉｐｔｉｏｎ、略してＵＳＤ）から、関心対象であるグループサービス識別子又は加入されたグループサービス識別子を取得する。
【０１０１】
段階Ｓ５２０において、端末デバイスは、第１のメッセージにおけるグループサービス識別子に従って、受信されることを必要とするグループサービスを区別及び識別する。このように、端末デバイスは、受信されることを意図されるグループサービスを受信する。
【０１０２】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１０３】
任意に、本発明の実施形態において、段階Ｓ５１０の前に、端末デバイスは、第１のメッセージの構成情報を受信し、第１のメッセージの構成情報に従って、第１のメッセージを受信する。第１のメッセージの構成情報は、ネットワークデバイスによって第１のメッセージを送信するために用いられる時間パターン、第１のメッセージの変調及び符号化スキーム、及び第１のＲＮＴＩの情報の少なくとも１つを含む。第１のメッセージの変調及び符号化スキームは、具体的には、以下の通りであってよい。例えば、第１のメッセージの変調スキームは、四位相偏移変調（英語でＱｕａｄｒａｔｕｒｅ  Ｐｈａｓｅ  Ｓｈｉｆｔ  Ｋｅｙｉｎｇ、略してＱＰＳＫ）であり、符号化スキームは、１／３符号化である、又は、第１のメッセージの変調スキームは、ＱＰＳＫであり、符号化スキームは、１／２符号化である。他の符号化又は変調スキームが用いられてもよく、本発明は、これに限定されるものではないことを理解されたい。第１のＲＮＴＩは、ネットワークデバイスによって第１のメッセージをスケジューリング及び送信するために用いられるＲＮＴＩを指す。
【０１０４】
任意に、本発明の実施形態において、第１のメッセージを送信するためにネットワークデバイスによって用いられる時間パターンは、第１のメッセージの変更周期、第１のメッセージを送信するための反復係数、及び第１のメッセージの時間オフセットの情報の少なくとも１つを含む。第１のメッセージの変更周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。第１のメッセージを送信するための反復回数は、第１のメッセージが１つの変更周期Ｔ'内で反復的に送信された回数を表し、例えば、具体的には２、４、６、８等であってよい。第１のメッセージの時間オフセットは、例えば、０ｍｓ、１ｍｓ、２ｍｓ、３ｍｓ等である。第１のメッセージの時間パターンが第１のメッセージの時間オフセットを含まない場合、第１のメッセージの時間オフセットは、例えば、０又は１の固定値である。上に列挙された値は例に過ぎず、変更周期Ｔ'の他の可能な値は、全て、本発明の保護範囲に属し、本発明は、これに限定されるものではないことも理解されたい。
【０１０５】
任意に、本発明の実施形態において、端末デバイスによって、第１のメッセージの構成情報を受信し、第１のメッセージの構成情報に従って、第１のメッセージを受信する段階は、構成情報が第１のＲＮＴＩを含む場合、端末デバイスによって、第１のＲＮＴＩに従って、第１のダウンリンク制御情報を受信する段階、又は、構成情報が第１のＲＮＴＩを含まない場合、端末デバイスによって、第１のデフォルトＲＮＴＩに従って、第１のダウンリンク制御情報を受信する段階を含む。具体的には、構成情報が第１のＲＮＴＩを含む場合、端末デバイスは、第１のＲＮＴＩにおける第１のグループサービスに対応するＲＮＴＩに従って、第１のダウンリンク制御情報を解析し、第１のダウンリンク制御情報に従って、第１のメッセージを受信する。第１のメッセージが第１のＲＮＴＩを含まない場合、端末デバイスは、第１のデフォルトＲＮＴＩに従って、第１のダウンリンク制御情報を受信する。第１のデフォルトＲＮＴＩは、ネットワークデバイスによって第１のメッセージをスケジューリング及び送信するために用いられるデフォルトＲＮＴＩである。例えば、第１のデフォルトＲＮＴＩは、ＦＦＦ４、ＦＦＦＣ等であってよく、本発明は、これに限定されるものではない。
【０１０６】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１０７】
任意に、本発明の実施形態において、段階Ｓ５２０において、ネットワークデバイスによって送信された少なくとも１つのグループサービス識別子が端末デバイスの第１のグループサービス識別子を含む場合、端末デバイスの第２の受信モジュールは、第１の受信モジュールによって受信された第１のメッセージに従って、第１のグループサービスを受信するように構成される。
【０１０８】
ネットワークデバイスによって送信されたグループサービス識別子リストが端末デバイスのグループサービス識別子を含まない場合、端末デバイスは、ネットワークデバイスによって送信されたグループサービスデータを受信せず、ネットワークデバイスによって送信されたグループサービス識別子リストが端末デバイスのグループサービス識別子を含む場合のみ、端末デバイスは、ネットワークデバイスによって送信され、かつ、端末デバイスのグループサービス識別子に対応するグループサービスデータを受信することを理解されたい。例えば、ネットワークデバイスによって送信されるべきグループサービスがグループサービスＡ、グループサービスＢ、及びグループサービスＣである場合、グループサービス識別子リストは、３つのグループサービス識別子Ａ、Ｂ、及びＣを含む。３つのグループサービス識別子Ａ、Ｂ、及びＤは、端末デバイスの要件に従って、端末デバイスに対して予め示されてよい。この場合、端末デバイスは、ネットワーク側デバイスによって送信されるサービスＡ及びサービスＢのみを受信し、サービスＣを受信することができない。
【０１０９】
任意に、本発明の実施形態において、第１のメッセージは、ネットワークデバイスによって第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。ネットワークデバイスによって第１のメッセージを送信するための周期Ｔは、第１のメッセージがメッセージを送信するために用いられる周波数を表す。具体的には、周期Ｔは、２０ｍｓ、５０ｍｓ、１００ｍｓ、５００ｍｓ等であってよい。第１のメッセージの変更周期Ｔ'に対して、周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。ネットワークデバイスによって送信される各グループサービスの論理チャネル番号は、グループサービスによって用いられる論理チャネルを表すために用いられる。論理チャネル番号は、１２ビット、例えば、０００００００００００１によって、又は、５ビット、例えば、００００１によって、又は、６から１３の範囲の任意のビット数によって、表されてよい。用いられるビット数は、ネットワークによって予め設定された長さ、又は、第１のメッセージによって示される長さであってよい。第２のＲＮＴＩは、ネットワークデバイスによって送信されたグループサービスをスケジューリングするために用いられるＲＮＴＩを指す。第２のＲＮＴＩは、複数のグループサービスをスケジューリングするために用いられる１つのＲＮＴＩを指してよい、又は、複数のグループサービスをスケジューリングするために用いられる異なるＲＮＴＩを指してよいことを理解されたい。すなわち、各グループサービスは、対応するＲＮＴＩを有し、各ＲＮＴＩは、１つ又は複数のグループサービスに対応してよく、本発明は、これに限定されるものではない。上に列挙された値は例に過ぎず、周期Ｔ又はＴ'の他の可能な値は全て、本発明の保護範囲に属し、本発明は、これに限定されるものではないことも理解されたい。
【０１１０】
任意に、本発明の実施形態において、段階Ｓ５２０において、端末デバイスによって、第１のメッセージに従って、端末デバイスの第１のグループサービス識別子に対応する第１のグループサービスを受信する段階は、第１のメッセージが第２のＲＮＴＩを含む場合、端末デバイスによって、第２のＲＮＴＩに従って、第２のダウンリンク制御情報を受信する段階、又は、第１のメッセージが第２のＲＮＴＩを含まない場合、端末デバイスによって、第２のデフォルトＲＮＴＩに従って、第２のダウンリンク制御情報を受信する段階を含む。具体的には、第１のメッセージが第２のＲＮＴＩを含む場合に、端末デバイスが第１のグループサービス識別子に対応する第１のグループサービスを受信する必要がある場合、端末デバイスは、第２のＲＮＴＩにおける第１のグループサービスに対応するＲＮＴＩに従って、第２のダウンリンク制御情報を解析し、第２のダウンリンク制御情報に従って、第１のグループサービスを受信する。第１のメッセージが第２のＲＮＴＩを含まない場合、端末デバイスは、第２のデフォルトＲＮＴＩに従って、第２のダウンリンク制御情報を受信する。第２のデフォルトＲＮＴＩは、ネットワークデバイスによって送信されたグループサービスをスケジューリングするために用いられるデフォルトＲＮＴＩである。例えば、第２のデフォルトＲＮＴＩは、ＦＦＦ４、ＦＦＦＣ等であってよく、本発明は、これに限定されるものではない。
【０１１１】
具体的には、第２のＲＮＴＩ又は第２のデフォルトＲＮＴＩに従って、第２のダウンリンク制御情報を受信する段階は、第１のグループサービスに対応するスケジューリング時間において、第１のグループサービスのＲＮＴＩとスクランブルされる第２のダウンリンク制御情報を解析する段階である。第１のグループサービスのスケジューリング時間は、第１のグループサービスのシステムフレーム番号＊１０とサブフレームインデックスとの和を用いることによって、周期Ｔに対して剰余演算を実行することによって取得され、かつ、第１のグループサービスに対応する時間オフセットに等しい時点である。
【０１１２】
任意に、本発明の実施形態において、段階Ｓ５２０において、端末デバイスによって、第１のメッセージに従って、端末デバイスの第１のグループサービス識別子に対応する第１のグループサービスを受信する段階は、端末デバイスによって、第２のダウンリンク制御情報に従って、ＭＡＣ  ＰＤＵを受信する段階と、第１のメッセージが各グループサービスの論理チャネル番号を含む場合、端末デバイスによって、各グループサービスの論理チャネル番号における第１のグループサービスの論理チャネル番号に従って、ネットワークデバイスによって送信されたＭＡＣ  ＳＤＵを受信する段階、又は、第１のメッセージが各グループサービスの論理チャネル番号を含まない場合、端末デバイスによって、第１のグループサービス識別子に従って、第１のグループサービスのＭＡＣ  ＳＤＵを受信する段階を含む。
【０１１３】
具体的には、例えば、端末デバイスによって受信された第１のメッセージが、ネットワークデバイスによって送信されるグループサービスＡ、グループサービスＢ、及びグループサービスＣの論理チャネル番号Ａ、Ｂ、及びＣを含む場合、対応するチャネルＡは、グループサービスＡに対応するチャネル番号Ａを用いることによって発見可能であり、グループサービスＢに対応するチャネル番号Ｂ及びグループサービスＣに対応するチャネルＣ、ならびに第２の受信モジュールによって受信されたＭＡＣ  ＳＤＵが取得される。この場合、第１のメッセージが論理チャネル番号を含まない場合、グループサービスＡ、Ｂ、及びＣは全て、これらのグループサービス識別子に従って、かつ、全グループサービスに割り当てられたチャネルを用いることによって、グループサービスに対応し、かつ、第２の受信モジュールによって受信されるＭＡＣ  ＳＤＵを取得する。
【０１１４】
本発明の実施形態において、任意に、段階Ｓ５２０において、ＭＡＣ  ＰＤＵは、ＭＡＣ  ＣＥを保持し、第１のグループサービスが終了したことを示す。サービスが終了したことを示すＭＡＣ  ＣＥを含むＭＡＣ  ＰＤＵは、一度送信されてよい、又は、複数回、例えば、３回又は５回反復的に送信されてよく、端末デバイスの受信信頼性を向上させる。特定の実装方式は、ＭＡＣ  ＣＥが、端末デバイスによって送信されたグループサービス識別子又はグループサービスの論理チャネル番号を含み、端末デバイスが特定のグループサービス識別子又は論理チャネル番号を含むＭＡＣ  ＣＥを受信した場合、サービスが終了したとみなされるものであってよい。代わりに、特定の実装方式は、端末デバイスによって送信されたＭＡＣ  ＣＥがグループサービスに対応するグループサービス識別子又は論理チャネル番号を含まない場合、サービスが終了したことを示すＭＡＣ  ＣＥを含むＭＡＣ  ＰＤＵに含まれる全てのグループサービスが、終了したものとみなされるものであってよい。本発明の本実施形態において説明される番号は、例に過ぎず、本発明は、これに限定されるものではないことを理解されたい。
【０１１５】
任意に、本発明の実施形態において、端末デバイスは、変更指示情報に従って、第１のメッセージが変更されたと決定する。変更指示情報は、第１のメッセージが変更されたことを示し、かつ、ページングメッセージにおいて保持される指示情報、又は、第１のメッセージが変更されたことを示し、かつ、ＳＩＢ１において保持される指示情報、又は、端末デバイスが第１のダウンリンク制御情報を受信した場合、第１のメッセージが変更されたことを示し、かつ、第１のダウンリンク制御情報において保持される指示情報を含む。ＳＩＢ１メッセージにおいて保持される第１のメッセージの変更指示メッセージ、又は、第１のメッセージが変更されたことを示し、かつ、第１のダウンリンク制御情報において保持される指示情報は、具体的には、４ビット、５ビット等の長さを有し得るラベル値であってよい。ダウンリンク制御情報は、１／１Ａ／１Ｃのようなフォーマットであってよい。さらに、端末デバイスは、ＳＩＢ１メッセージにおいて保持される第１のメッセージの変更指示メッセージ、又は、第１のメッセージが変更されたことを示し、かつ、第１のメッセージのダウンリンク制御情報において保持される指示情報におけるラベル値と、格納されたラベル値を比較する。これらが異なる場合、第１のメッセージが変更されとみなされる。前述された代表値の長さ値は例に過ぎず、本発明は、これに限定されるものではないことを理解されたい。
【０１１６】
任意に、本発明の実施形態において、ネットワークデバイスによって送信された第１のメッセージを端末デバイスによって受信する段階は、端末デバイスが第１のメッセージを格納しない場合、ネットワークデバイスがマルチキャスト制御情報を送信した時点で第１のメッセージを受信する段階と、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信する段階と、を含む。端末デバイスが第１のメッセージを格納しない場合、端末デバイスは、１つの第１のメッセージが正しく受信されるまで、第１のメッセージの各送信時点で、第１のメッセージの受信を試行する必要がある。端末デバイスは、ＳＩＢ１メッセージを用いることによって、第１のメッセージ送信時点を取得する、又は、ダウンリンク制御情報によってスケジューリングされた第１のメッセージの構成情報から、第１のメッセージ送信時点を取得し、第１のメッセージ送信時点で、第１のメッセージの受信を試行してよい。端末デバイスが既に第１のメッセージを格納した場合、第１のメッセージが変更されたと決定した場合には、端末デバイスは、変更された第１のメッセージに従って、第１のグループサービスを受信すべく、変更周期Ｔ'の経過後に、変更された第１のメッセージを受信開始する必要がある。
【０１１７】
任意に、本発明の実施形態において、第１のメッセージの受信におけるユーザ機器の信頼性を向上させるべく、ネットワークデバイスが１つの変更周期Ｔ'における反復係数に等しい回数だけ第１のメッセージを送信する場合、異なる冗長性のバージョンが、第１のメッセージが送信される度に用いられてよい。このように、端末デバイスは、複数の第１のメッセージを組み合わせることによって、第１のメッセージを正しく受信することができ、これにより、第１のメッセージの受信におけるユーザの信頼性を向上させる。
【０１１８】
任意に、本発明の実施形態において、第１のメッセージの受信におけるユーザ機器の信頼性を向上させるべく、第１のメッセージは、第１のメッセージの各スケジューリング時点に対応するサブフレームから開始するＮ個の連続サブフレームにおいて送信される。サブフレームにおいて送信される第１のメッセージは、同じであってよく、又は、異なる冗長性のバージョンが用いられてよい。このように、端末デバイスは、複数の第１のメッセージを組み合わせることによって、第１のメッセージを正しく受信することができ、これにより、第１のメッセージの受信におけるユーザの信頼性を向上させる。
【０１１９】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１２０】
図６は、本発明の他の実施形態に係るグループ通信方法の模式的なフローチャートである。方法６００における手続きは、本発明の実施形態に係る端末デバイス３００又は端末デバイス４００の対応する部分によって、個別に実行及び実装されてよい。簡潔性のために、詳細は、本明細書において再度説明されない。図６に示されるように、方法６００は、以下の段階を含む。
【０１２１】
Ｓ６１０において、第１のメッセージを端末デバイスに送信する。第１のメッセージは、少なくとも１つのグループサービス識別子を含み、１つのグループサービス識別子は、１つのグループサービスに対応する。
【０１２２】
Ｓ６２０において、少なくとも１つのグループサービス識別子に対応するグループサービスを端末デバイスに送信する。
【０１２３】
具体的には、ネットワークデバイスによって送信された第１のメッセージは、グループサービス識別子リストを含んでよい。グループサービス識別子リストは、ネットワークデバイスによって送信されるべき少なくとも１つのグループサービスのグループサービス識別子を含む。グループサービス識別子リストは、１つ又は複数のグループサービス識別子を含んでよく、１つのグループサービス識別子は、１つのグループサービスに対応する。第１のメッセージは、独立したブロードキャストメッセージであってよい、又は、他のブロードキャストメッセージにおいて具体的な情報の形で保持されてよいことを理解されたい。具体的には、第１のメッセージは、ＭＣＣＨメッセージ又はグループ構成メッセージであってよく、本発明は、これに限定されるものではない。具体的には、グループサービス識別子リストは、少なくとも１つのグループサービスに対応するＴＭＧＩを含むＴＭＧＩリストであってよく、本発明は、これに限定されるものではない。ネットワークデバイスによって送信されるグループサービスは、グループサービス識別子リストに含まれる１つ又は複数のグループサービス識別子に対応するグループサービスである。１つのグループサービス識別子は、１つのグループサービスに対応する。
【０１２４】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１２５】
任意に、本発明の実施形態において、段階Ｓ６１０の前に、第１のメッセージの構成情報が送信され、これにより、端末デバイスは、第１のメッセージの構成情報に従って、第１のメッセージを受信する。第１のメッセージの構成情報は、第１のメッセージを送信するための時間パターン、第１のメッセージの変調及び符号化スキーム、及び第１のＲＮＴＩの情報の少なくとも１つを含む。第１のメッセージの変調及び符号化スキームは、具体的には、以下の通りであってよい。例えば、第１のメッセージの変調スキームは、四位相偏移変調（英語でＱｕａｄｒａｔｕｒｅ  Ｐｈａｓｅ  Ｓｈｉｆｔ  Ｋｅｙｉｎｇ、略してＱＰＳＫ）であり、符号化スキームは、１／３符号化である、又は、第１のメッセージの変調スキームは、ＱＰＳＫであり、符号化スキームは、１／２符号化である。他の符号化又は変調スキームが用いられてもよく、本発明は、これに限定されるものではないことを理解されたい。第１のＲＮＴＩは、ネットワークデバイスによって第１のメッセージをスケジューリング及び送信するために用いられるＲＮＴＩを指す。
【０１２６】
任意に、本発明の実施形態において、第１のメッセージを送信するための時間パターンは、第１のメッセージの変更周期、第１のメッセージの反復係数、及び第１のメッセージの時間オフセットの情報の少なくとも１つを含む。第１のメッセージの変更周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。第１のメッセージを送信するための反復回数は、第１のメッセージが１つの変更周期Ｔ'内で反復的に送信された回数を表し、例えば、具体的には２、４、６、８等であってよい。第１のメッセージの時間オフセットは、例えば、０ｍｓ、１ｍｓ、２ｍｓ、３ｍｓ等である。第１のメッセージの時間パターンが第１のメッセージの時間オフセットを含まない場合、第１のメッセージの時間オフセットは、例えば、０又は１の固定値である。上に列挙された値は例に過ぎず、変更周期Ｔ'の他の可能な値は、全て、本発明の保護範囲に属し、本発明は、これに限定されるものではないことも理解されたい。
【０１２７】
任意に、本発明の実施形態において、第１のメッセージは、第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。ネットワークデバイスによって第１のメッセージを送信するための周期Ｔは、第１のメッセージがメッセージを送信するために用いられる周波数を表す。具体的には、周期Ｔは、２０ｍｓ、５０ｍｓ、１００ｍｓ、５００ｍｓ等であってよい。第１のメッセージの変更周期Ｔ'に対して、周期Ｔ'は、端末デバイスに、第１のメッセージが変更されたと決定した後で、変更周期Ｔ'の経過後にネットワークデバイスによって送信された変更された第１のメッセージを受信するように命令するために用いられる。具体的には、周期Ｔ'は、２０ｍｓ、５０ｍｓ、１００ｍｓ、５００ｍｓ等であってよい。ネットワークデバイスによって送信される各グループサービスの論理チャネル番号は、グループサービスによって用いられる論理チャネルを表すために用いられる。第２のＲＮＴＩは、ネットワークデバイスによって送信されたグループサービスをスケジューリングするために用いられるＲＮＴＩを指す。第２のＲＮＴＩは、複数のグループサービスをスケジューリングするために用いられる１つのＲＮＴＩを指してよい、又は、複数のグループサービスをスケジューリングするために用いられる異なるＲＮＴＩを指してよいことを理解されたい。すなわち、各グループサービスは、対応するＲＮＴＩを有し、各ＲＮＴＩは、１つ又は複数のグループサービスに対応してよく、本発明は、これに限定されるものではない。上に列挙された値は例に過ぎず、周期Ｔ又はＴ'の他の可能な値は全て、本発明の保護範囲に属し、本発明は、これに限定されるものではないことも理解されたい。
【０１２８】
任意に、本発明の実施形態において、Ｓ６１０は、指示情報を保持するページングメッセージを端末デバイスに送信する段階、又は、指示情報を保持するＳＩＢ１メッセージを端末デバイスに送信する段階、又は、指示情報を保持する第２のダウンリンク制御情報を端末デバイスに送信する段階をさらに含む。ＳＩＢ１メッセージにおいて保持される第１のメッセージの変更指示メッセージ、又は、第１のメッセージが変更されたことを示し、かつ、第２のダウンリンク制御情報において保持される指示情報は、具体的には、４ビット、５ビット等の長さを有し得るラベル値であってよい。ダウンリンク制御情報は、１／１Ａ／１Ｃのようなフォーマットであってよい。さらに、端末デバイスは、ＳＩＢ１メッセージにおいて保持される第１のメッセージの変更指示メッセージ、又は、第１のメッセージが変更されたことを示し、かつ、第１のメッセージのダウンリンク制御情報において保持される指示情報におけるラベル値と、格納されたラベル値を比較する。これらが異なる場合、第１のメッセージが変更されとみなされる。前述された代表値の長さ値は例に過ぎず、本発明は、これに限定されるものではないことを理解されたい。
【０１２９】
任意に、本発明の実施形態において、第１のメッセージの受信におけるユーザ機器の信頼性を向上させるべく、ネットワークデバイスが１つの変更周期Ｔ'における反復係数に等しい回数だけ第１のメッセージを送信する場合、異なる冗長性のバージョンが、第１のメッセージが送信される度に用いられてよい。このように、端末デバイスは、複数の第１のメッセージを組み合わせることによって、第１のメッセージを正しく受信することができ、これにより、第１のメッセージの受信におけるユーザの信頼性を向上させる。
【０１３０】
任意に、本発明の実施形態において、第１のメッセージの受信におけるユーザ機器の信頼性を向上させるべく、第１のメッセージは、第１のメッセージの各スケジューリング時点に対応するサブフレームから開始するＮ個の連続サブフレームにおいて送信される。サブフレームにおいて送信される第１のメッセージは、同じであってよく、又は、異なる冗長性のバージョンが用いられてよい。このように、端末デバイスは、複数の第１のメッセージを組み合わせることによって、第１のメッセージを正しく受信することができ、これにより、第１のメッセージの受信におけるユーザの信頼性を向上させる。
【０１３１】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１３２】
図７は、本発明のさらに他の実施形態に係るグループ通信方法の模式的なフローチャートである。図７に示されるように、方法は、以下の段階を含む。
【０１３３】
Ｓ７０１において、ネットワークデバイスは、第１のメッセージを送信する。
【０１３４】
Ｓ７０２において、端末デバイスは、第１のメッセージを受信する。
【０１３５】
Ｓ７０３において、ネットワークデバイスは、グループサービスデータを送信する。
【０１３６】
Ｓ７０４において、端末デバイスは、第１のメッセージに従って、グループサービスデータを受信する。
【０１３７】
段階Ｓ７０１において、ネットワークデバイスによって送信された第１のメッセージは、少なくとも１つのグループサービス識別子を含み、１つのグループサービス識別子は、１つのグループサービスに対応する。
【０１３８】
段階Ｓ７０３において、ネットワークデバイスは、少なくとも１つのグループサービス識別子に対応するグループサービスを端末デバイスに送信する。
【０１３９】
段階Ｓ７０４において、端末デバイスは、第１のメッセージに従って、端末デバイスの第１のグループサービス識別子に対応する第１のグループサービスを受信する。
【０１４０】
任意に、段階Ｓ７０４において、ネットワークデバイスによって送信された少なくとも１つのグループサービス識別子が端末デバイスの第１のグループサービス識別子を含む場合、端末デバイスの第２の受信モジュールは、第１の受信モジュールによって受信された第１のメッセージに従って、第１のグループサービスを受信するように構成される。
【０１４１】
任意に、段階Ｓ７０１において、第１のメッセージは、ネットワークデバイスによって第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。
【０１４２】
任意に、段階Ｓ７０４において、端末デバイスによって、第１のメッセージに従って、端末デバイスの第１のグループサービス識別子に対応する第１のグループサービスを受信する段階は、第１のメッセージが第２のＲＮＴＩを含む場合、端末デバイスによって、第２のＲＮＴＩに従って、第２のダウンリンク制御情報を受信する段階、又は、第１のメッセージが第２のＲＮＴＩを含まない場合、端末デバイスによって、第２のデフォルトＲＮＴＩに従って、第２のダウンリンク制御情報を受信する段階を含む。
【０１４３】
任意に、段階Ｓ７０４において、端末デバイスによって、第１のメッセージに従って、端末デバイスの第１のグループサービス識別子に対応する第１のグループサービスを受信する段階は、第１のメッセージが少なくとも１つのグループサービス識別子に対応する各グループサービスの論理チャネル番号を含む場合、端末デバイスによって、第２のダウンリンク制御情報に従って、ＭＡＣ  ＰＤＵを受信する段階と、端末デバイスによって、各グループサービスの論理チャネル番号における第１のグループサービスの論理チャネル番号に従って、第１のグループサービスのＭＡＣ  ＳＤＵを取得する段階と、を含む。
【０１４４】
任意に、段階Ｓ７０４において、ＭＡＣ  ＰＤＵは、ＭＡＣ  ＣＥを保持し、第１のグループサービスが終了したことを示す。
【０１４５】
任意に、端末デバイスは、変更指示情報に従って、第１のメッセージが変更されたと決定する。変更指示情報は、第１のメッセージが変更されたことを示し、かつ、ページングメッセージにおいて保持される指示情報、又は、第１のメッセージが変更されたことを示し、かつ、ＳＩＢ１において保持される指示情報、又は、端末デバイスが第１のダウンリンク制御情報を受信した場合、第１のメッセージが変更されたことを示し、かつ、第１のダウンリンク制御情報において保持される指示情報を含む。
【０１４６】
任意に、本発明の実施形態において、ネットワークデバイスは、第１のメッセージが変更されたことを示す指示情報を端末デバイスに送信することであって、指示情報を保持するページングメッセージを端末デバイスに送信すること、又は、指示情報を保持するＳＩＢ１メッセージを端末デバイスに送信すること、又は、指示情報を保持する第１のダウンリンク制御情報を端末デバイスに送信することを含むことを実行する。
【０１４７】
任意に、本発明の実施形態において、ネットワークデバイスによって送信された第１のメッセージを端末デバイスによって受信する段階は、端末デバイスが第１のメッセージを格納しない場合、ネットワークデバイスがマルチキャスト制御情報を送信した時点で第１のメッセージを受信する段階と、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信する段階と、を含む。
【０１４８】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１４９】
図８は、本発明のさらに他の実施形態に係るグループ通信方法の模式的なフローチャートである。図７に示されるように、方法は、以下の段階を含む。
【０１５０】
Ｓ８０１において、ネットワークデバイスは、第１のメッセージの構成情報を送信する。
【０１５１】
Ｓ８０２において、端末デバイスは、第１のメッセージの構成情報を受信する。
【０１５２】
Ｓ８０３において、ネットワークデバイスは、第１のメッセージを送信する。
【０１５３】
Ｓ８０４において、端末デバイスは、第１のメッセージの構成情報に従って、第１のメッセージを受信する。
【０１５４】
Ｓ８０５において、ネットワークデバイスは、グループサービスデータを送信する。
【０１５５】
Ｓ８０６において、端末デバイスは、第１のメッセージに従って、グループサービスデータを受信する。
【０１５６】
段階Ｓ８０１において、ネットワークデバイスは、第１のメッセージの構成情報を送信し、端末デバイスに、第１のメッセージの構成情報に従って、第１のメッセージを受信するように命令する。第１のメッセージの構成情報は、ネットワークデバイスによって第１のメッセージを送信するために用いられる時間パターン、第１のメッセージの変調及び符号化スキーム、及び第１のＲＮＴＩの情報の少なくとも１つを含む。
【０１５７】
任意に、段階Ｓ８０１において、第１のメッセージを送信するためにネットワークデバイスによって用いられる時間パターンは、第１のメッセージの変更周期、第１のメッセージを送信するための反復係数、及び第１のメッセージの時間オフセットの情報の少なくとも１つを含む。
【０１５８】
任意に、段階Ｓ８０３において、ネットワークデバイスによって送信された第１のメッセージは、第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。
【０１５９】
任意に、段階Ｓ８０４において、端末デバイスによって、第１のメッセージの構成情報を受信し、第１のメッセージの構成情報に従って、第１のメッセージを受信する段階は、構成情報が第１のＲＮＴＩを含む場合、端末デバイスによって、第１のＲＮＴＩに従って、第１のダウンリンク制御情報を受信する段階、又は、構成情報が第１のＲＮＴＩを含まない場合、端末デバイスによって、第１のデフォルトＲＮＴＩに従って、第１のダウンリンク制御情報を受信する段階を含む。
【０１６０】
段階Ｓ８０５において、ネットワークデバイスは、少なくとも１つのグループサービス識別子に対応するグループサービスを端末デバイスに送信する。
【０１６１】
任意に、段階Ｓ８０６において、ネットワークデバイスによって送信された少なくとも１つのグループサービス識別子が端末デバイスの第１のグループサービス識別子を含む場合、端末デバイスの第２の受信モジュールは、第１の受信モジュールによって受信された第１のメッセージに従って、第１のグループサービスを受信するように構成される。
【０１６２】
任意に、ネットワークデバイスによって送信された第１のメッセージは、ネットワークデバイスによって第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。
【０１６３】
任意に、段階Ｓ８０６において、端末デバイスによって、第１のメッセージに従って、端末デバイスの第１のグループサービス識別子に対応する第１のグループサービスを受信する段階は、第１のメッセージが第２のＲＮＴＩを含む場合、端末デバイスによって、第２のＲＮＴＩに従って、第２のダウンリンク制御情報を受信する段階、又は、第１のメッセージが第２のＲＮＴＩを含まない場合、端末デバイスによって、第２のデフォルトＲＮＴＩに従って、第２のダウンリンク制御情報を受信する段階を含む。
【０１６４】
任意に、段階Ｓ８０６において、端末デバイスによって、第１のメッセージに従って、端末デバイスの第１のグループサービス識別子に対応する第１のグループサービスを受信する段階は、第１のメッセージが少なくとも１つのグループサービス識別子に対応する各グループサービスの論理チャネル番号を含む場合、端末デバイスによって、第２のダウンリンク制御情報に従って、ＭＡＣ  ＰＤＵを受信する段階と、端末デバイスによって、各グループサービスの論理チャネル番号における第１のグループサービスの論理チャネル番号に従って、第１のグループサービスのＭＡＣ  ＳＤＵを取得する段階と、を含む。
【０１６５】
任意に、段階Ｓ８０６において、ＭＡＣ  ＰＤＵは、ＭＡＣ  ＣＥを保持し、第１のグループサービスが終了したことを示す。
【０１６６】
任意に、端末デバイスは、変更指示情報に従って、第１のメッセージが変更されたと決定する。変更指示情報は、第１のメッセージが変更されたことを示し、かつ、ページングメッセージにおいて保持される指示情報、又は、第１のメッセージが変更されたことを示し、かつ、ＳＩＢ１において保持される指示情報、又は、端末デバイスが第１のダウンリンク制御情報を受信した場合、第１のメッセージが変更されたことを示し、かつ、第１のダウンリンク制御情報において保持される指示情報を含む。
【０１６７】
任意に、本発明の実施形態において、ネットワークデバイスは、第１のメッセージが変更されたことを示す指示情報を端末デバイスに送信することであって、指示情報を保持するページングメッセージを端末デバイスに送信すること、又は、指示情報を保持するＳＩＢ１メッセージを端末デバイスに送信すること、又は、指示情報を保持する第１のダウンリンク制御情報を端末デバイスに送信することを含むことを実行する。
【０１６８】
任意に、本発明の実施形態において、ネットワークデバイスによって送信された第１のメッセージを端末デバイスによって受信する段階は、端末デバイスが第１のメッセージを格納しない場合、ネットワークデバイスがマルチキャスト制御情報を送信した時点で第１のメッセージを受信する段階と、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信する段階と、を含む。
【０１６９】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１７０】
図９は、本発明の他の実施形態に係る端末デバイスの模式的なブロック図である。図９に示されるように、装置９００は、プロセッサ９１０と、メモリ９２０と、バスシステム９３０と、受信機９４０と、を含む。プロセッサ９１０、メモリ９２０、及び受信機９４０は、バス９３０によって接続される。メモリは、命令を格納するように構成される。プロセッサ９１０は、メモリ９２０に格納された命令を実行し、受信機９４０を制御して情報を受信させるように構成される。受信機９４０は、ネットワークデバイスによって送信された第１のメッセージを受信するように構成されてよい。第１のメッセージは、少なくとも１つのグループサービス識別子を含み、１つのグループサービス識別子は、１つのグループサービスに対応する。受信機９４０は、第１のメッセージに従って、端末デバイスの第１のグループサービス識別子に対応する第１のグループサービスを受信するようにさらに構成される。
【０１７１】
任意に、本発明の実施形態において、受信機９４０は、第１のメッセージの構成情報を受信し、第１のメッセージの構成情報に従って、第１のメッセージを受信するように構成される。第１のメッセージの構成情報は、ネットワークデバイスによって第１のメッセージを送信するために用いられる時間パターン、第１のメッセージの変調及び符号化スキーム、及び第１のＲＮＴＩの情報の少なくとも１つを含む。
【０１７２】
任意に、本発明の実施形態において、第１のメッセージを送信するために、受信機９４０によって受信される時間パターンは、第１のメッセージの変更周期、第１のメッセージを送信するための反復係数、及び第１のメッセージの時間オフセットの情報の少なくとも１つを含む。
【０１７３】
任意に、本発明の実施形態において、受信機９４０は、構成情報が第１のＲＮＴＩを含む場合、第１のＲＮＴＩに従って、第１のダウンリンク制御情報を受信する、又は、構成情報が第１のＲＮＴＩを含まない場合、第１のデフォルトＲＮＴＩに従って、第１のダウンリンク制御情報を受信するようにさらに構成される。
【０１７４】
任意に、本発明の実施形態において、受信機９４０は、少なくとも１つのグループサービス識別子が端末デバイスの第１のグループサービス識別子を含む場合、第１のメッセージに従って、第１のグループサービスを受信するようにさらに構成される。
【０１７５】
任意に、本発明の実施形態において、受信機９４０によって受信された第１のメッセージは、ネットワークデバイスによって第１のメッセージを送信するための周期、第１のメッセージの変更周期、少なくとも１つのグループサービス識別子に対応する各グループサービスの時間オフセット、各グループサービスの論理チャネル番号、及び第２のＲＮＴＩの情報の少なくとも１つをさらに含む。
【０１７６】
任意に、本発明の実施形態において、受信機９４０は、第１のメッセージが第２のＲＮＴＩを含む場合、第２のＲＮＴＩに従って、第２のダウンリンク制御情報を受信する、又は、第１のメッセージが第２のＲＮＴＩを含まない場合、第２のデフォルトＲＮＴＩに従って、各グループサービスのダウンリンク制御情報を受信するようにさらに構成される。
【０１７７】
任意に、本発明の実施形態において、受信機９４０は、第１のメッセージが第２のＲＮＴＩを含む場合、第２のＲＮＴＩに従って、第２のダウンリンク制御情報を受信し、第２のダウンリンク制御情報に従って、第１のグループサービスを受信する、又は、第１のメッセージが第２のＲＮＴＩを含まない場合、第２のデフォルトＲＮＴＩに従って、第２のダウンリンク制御情報を受信し、第２のダウンリンク制御情報に従って、第１のグループサービスを受信するようにさらに構成される。
【０１７８】
任意に、本発明の実施形態において、受信機９４０は、第２のダウンリンク制御情報に従って、ＭＡＣ  ＰＤＵを受信し、第１のメッセージが各グループサービスの論理チャネル番号を含む場合、各グループサービスの論理チャネル番号における第１のグループサービスの論理チャネル番号に従って、第１のグループサービスのＭＡＣ  ＳＤＵを受信する、又は、第１のメッセージが各グループサービスの論理チャネル番号を含まない場合、第１のグループサービス識別子に従って、第１のグループサービスのＭＡＣ  ＳＤＵを受信するようにさらに構成される。
【０１７９】
任意に、本発明の実施形態において、プロセッサ９１０は、変更指示情報に従って、第１のメッセージが変更されたと決定するように構成される。変更指示情報は、第１のメッセージが変更されたことを示し、かつ、ページングメッセージにおいて保持される指示情報、又は、第１のメッセージが変更されたことを示し、かつ、ＳＩＢ１メッセージにおいて保持される指示情報、又は、端末デバイスが第１のダウンリンク制御情報を受信した場合、第１のメッセージが変更されたことを示し、かつ、第１のダウンリンク制御情報において保持される指示情報を含む。
【０１８０】
任意に、本発明の実施形態において、受信機９４０は、端末デバイスが第１のメッセージを格納しない場合、ネットワークデバイスがマルチキャスト制御情報を送信した時点で第１のメッセージを受信し、端末デバイスが既にマルチキャスト制御情報を格納し、第１のメッセージが変更されたと決定した場合、ネットワークデバイスが変更された第１のメッセージを送信した時点で変更された第１のメッセージを受信し、変更された第１のメッセージに従って、変更された第１のグループサービスを受信するようにさらに構成される。
【０１８１】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１８２】
図１０は、本発明の他の実施形態に係るネットワークデバイスの模式的なブロック図である。図１０に示されるように、装置１０００は、プロセッサ１１００と、メモリ１２００と、バスシステム１３００と、送信機１４００と、を含む。プロセッサ１１００、メモリ１２００、及び送信機１４００は、バス１３００によって接続される。メモリは、命令を格納するように構成される。プロセッサ１１００は、メモリ１２００に格納された命令を実行し、送信機１４００を制御して情報を受信させるように構成される。送信機１４００は、ネットワークデバイスによって送信された第１のメッセージを受信するように構成されてよい。第１のメッセージは、少なくとも１つのグループサービス識別子を含み、１つのグループサービス識別子は、１つのグループサービスに対応する。送信機１４００は、少なくとも１つのグループサービス識別子に対応するグループサービスを端末デバイスに送信するようにさらに構成される。
【０１８３】
任意に、本発明の実施形態において、送信機１４００は、第１のメッセージの構成情報を送信するように構成され、これにより、端末デバイスは、第１のメッセージの構成情報に従って、第１のメッセージを受信する。第１のメッセージの構成情報は、第１のメッセージを送信するための時間パターン、第１のＲＮＴＩ方式、及び第１のメッセージの変調及び符号化スキームの情報の少なくとも１つを含む。
【０１８４】
任意に、本発明の実施形態において、第１のメッセージを送信するために送信機１４００によって用いられる時間パターンは、第１のメッセージの変更周期、第１のメッセージの反復係数、及び第１のメッセージの時間オフセットの情報の少なくとも１つを含む。
【０１８５】
任意に、本発明の実施形態において、送信機１４００によって送信された第１のメッセージは、第１のメッセージを送信するための周期、第１のメッセージの変更周期、少なくとも１つのグループサービス識別子に対応する各グループサービスの時間オフセット、第２のＲＮＴＩ、及び各グループサービスの論理チャネル番号の情報の少なくとも１つをさらに含む。
【０１８６】
任意に、本発明の実施形態において、送信機１４００は、第１のメッセージが変更されたことを示す指示情報を端末デバイスに送信することであって、指示情報を保持するページングメッセージを端末デバイスに送信すること、又は、指示情報を保持するＳＩＢ１メッセージを端末デバイスに送信すること、又は、指示情報を保持する第１のダウンリンク制御情報を端末デバイスに送信することを含むことを実行するように構成される。
【０１８７】
前述の技術的解決手段に基づいて、端末デバイスは、ネットワークデバイスによって送信され、かつ、ネットワークデバイスによって送信された各グループサービスのグループサービス識別子を含む第１のメッセージを受信する。これにより、端末デバイスは、受信された第１のメッセージに従って、ネットワークデバイスによって送信されたグループサービスを受信することができる。従って、本発明の実装は、グループ通信、端末デバイス、及びネットワークデバイスを実装するための方法を提供する。このように、シングルセルにおけるポイントツーマルチポイントのグループ通信が実装可能であるのみならず、リソースのただ１つの割り当てを用いることによって、１つのグループサービスがグループサービスの受信を必要とする全ての端末デバイスに送信可能であり、これにより、無線リソースの無駄が減少する。さらに、各グループサービスの構成を受信することが、一元化された構成メッセージを用いることによってさらに修正可能であり、これにより、動的かつフレキシブルで効率的なグループサービス構成及び送信を実装する。
【０１８８】
本発明の前述された実施形態の全てにおいて、処理モジュールは、少なくとも１つのプロセッサによって実装されてよいことに留意されたい。プロセッサは、中央処理装置（Ｃｅｎｔｒａｌ  Ｐｒｏｃｅｓｓｉｎｇ  Ｕｎｉｔ、ＣＰＵ）であってよく、又は、他の汎用プロセッサ、デジタル信号プロセッサ（ＤＳＰ）、特定用途向け集積回路（ＡＳＩＣ）、フィールドプログラマブルゲートアレイ（ＦＰＧＡ）、又は他のプログラマブル論理デバイス、独立ゲートもしくはトランジスタ論理デバイス、独立ハードウェアコンポーネント等であってよい。送信モジュールは、送信機によって実装されてよく、又は、トランシーバによって実装されてよい。さらに、本発明の前述された実施形態において、ネットワークデバイス及びユーザ機器は、受信機及びメモリのような部分をさらに含んでよい。メモリは、リードオンリメモリ及びランダムアクセスメモリを含んでよく、命令及びデータをプロセッサに提供してよい。メモリの一部は、不揮発性ランダムアクセスメモリをさらに含んでよい。例えば、メモリは、デバイスタイプの情報をさらに格納してよい。プロセッサは、メモリの命令コードを呼び出し、前述のオペレーションを実行させるように、本発明の実施形態におけるネットワークデバイス及びユーザ機器の他のモジュールを制御する。
【０１８９】
本明細書全体で説明される「１つの実施形態」又は「実施形態」は、その実施形態に関する特定の機能、構造、又は特徴が、少なくとも１つの本発明の実施形態に含まれることを意味するものではないことを理解されたい。従って、本明細書全体に出現する「１つの実施形態において」又は「実施形態において」は、同じ実施形態を指すものではない。さらに、これらの特定の機能、構造、又は特徴は、１つ又は複数の実施形態において、任意の適切な方式を用いることによって、組み合わせられてよい。
【０１９０】
前述された処理の順序番号は、本発明の様々な実施形態における実行順序を意味するものではないことを理解されたい。処理の実行順序は、処理の機能及び内部ロジックに従って決定されるべきであって、本発明の実施形態の実装処理に対する何らかの限定として解されるべきではない。
【０１９１】
さらに、「システム」及び「ネットワーク」という用語は、本明細書において、互換的に用いられてよい。本明細書における「及び／又は」という用語は、複数の関連オブジェクトを説明するための対応関係のみを説明し、３つの関係が存在し得ることを表す。例えば、Ａ及び／又はＢは、以下の３つの場合、すなわち、Ａのみが存在すること、Ａ及びＢの両方が存在すること、ならびにＢのみが存在することを表してよい。さらに、本明細書における「／」という記号は、概して、関連オブジェクト間の「又は」という関係を示す。
【０１９２】
本願の実施形態において、「Ａに対応するＢ」は、ＢがＡと対応付けられており、ＢがＡに従って決定されてよいことを示すことを理解されたい。しかしながら、Ｂに従ってＡを決定することは、ＢがＡのみに従って決定されることを意味するものではない、すなわち、Ｂは、Ａ及び／又は他の情報に従って決定されてもよいことをさらに理解されたい。
【０１９３】
当業者であれば、本明細書において開示される実施形態において説明された例と組み合わせて、ユニット及びアルゴリズムの段階が、電子的ハードウェア、コンピュータソフトウェア、又はこれらの組み合わせによって実装され得ることを認識しよう。ハードウェアとソフトウェアとの間における互換性を明確に説明すべく、前述の内容は、概して、機能に従って、各例の構成及び段階を説明した。機能がハードウェア又はソフトウェアのいずれによって実行されるかは、技術的解決手段の特定の用途及び設計上の制約条件に依存する。当業者であれば、異なる方法を用いて、特定の用途毎に、説明された機能を実装することがある。しかしながら、そのような実装が、本発明の範囲を超えるものとみなされるべきではない。
【０１９４】
当業者によれば、説明の便宜及び簡潔性の目的のために、前述されたシステム、装置、及びユニットの詳細な動作処理については、前述の方法の実施形態において対応する処理が参照されてよく、詳細は本明細書において再度説明されないことが明確に理解されよう。
【０１９５】
本願において提供されるいくつかの実施形態において、開示されたシステム、装置、及び方法は、他の方式で実装されてよいことを理解されたい。例えば、説明された装置の実施形態は、例に過ぎない。例えば、ユニットの分割は、論理的機能の分割に過ぎず、実際の実装においては他の分割となることがある。例えば、複数のユニット又はコンポーネントは、他のシステムに組み合わせられ又は統合されてよく、又は、いくつかの機能は、無視されてもよく、実行されてもよい。さらに、表示又は説明された相互結合もしくは直接結合又は通信接続は、いくつかのインタフェースを用いることによって実装されてよい。装置間又はユニット間の間接結合又は通信接続は、電子的、機械的、又は他の形で、実装されてよい。
【０１９６】
別個の部分として説明されるユニットは、物理的に別個であってもなくてもよく、ユニットとして表示される部分は、物理的なユニットであってもなくてもよく、１つの位置に配置されてよく、又は、複数のネットワークユニットにおいて分散されてもよい。ユニットのいくつか又は全ては、実施形態の解決手段の目的を実現するように、実際の必要性に従って選択されてよい。
【０１９７】
さらに、本発明の実施形態における機能ユニットは、１つの処理ユニットに統合されてよい、又は、ユニットの各々は、物理的に単独で存在してよい、もしくは、２つより多くのユニットが、１つのユニットに統合される。
【０１９８】
統合ユニットがソフトウェア機能ユニットの形で実装され、独立した製品として販売又は使用されるされる場合、統合ユニットは、コンピュータ可読記憶媒体に格納されてよい。このような理解に基づいて、本発明の技術的解決手段は本質的に、又は従来技術に寄与する部分は、又は技術的解決手段のいくつかは、ソフトウェア製品の形で実装されてよい。ソフトウェア製品は、記憶媒体に格納され、コンピュータデバイス（パーソナルコンピュータ、サーバ、又はネットワークデバイスであってよい）に、本発明の実施形態において説明された方法の段階の全て又はいくつかを実行するように命令するためのいくつかの命令を含む。前述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクのような、プログラムコードを格納可能なあらゆる媒体を含む。
【０１９９】
前述の説明は、本発明の特定の実装方式に過ぎず、本発明の保護範囲を限定することを意図するものではない。本発明において開示された技術的範囲内で、当業者によって容易に案出されるあらゆるバリエーション又は置換は、本発明の保護範囲に属するものとする。従って、本発明の保護範囲は、特許請求の範囲の保護範囲に従うものとする。
［項目１］
端末デバイスであって、
ネットワークデバイスによって送信された第１のメッセージを受信するように構成される第１の受信モジュールであって、上記第１のメッセージは、少なくとも１つのグループサービス識別子を含み、１つのグループサービス識別子は、１つのグループサービスに対応する、第１の受信モジュールと、
上記第１の受信モジュールによって受信された上記第１のメッセージに従って、上記端末デバイスの第１のグループサービス識別子に対応する第１のグループサービスを受信するように構成される第２の受信モジュールと、
を備える端末デバイス。
［項目２］
上記端末デバイスは、
上記第１のメッセージの構成情報を受信し、上記第１の受信モジュールに、上記第１のメッセージの上記構成情報に従って、上記第１のメッセージを受信するように命令するように構成される第３の受信モジュールを備え、
上記第３の受信モジュールによって受信された上記第１のメッセージの上記構成情報は、上記ネットワークデバイスによって上記第１のメッセージを送信するために用いられる時間パターン、第１の無線ネットワーク一時識別子ＲＮＴＩ、ならびに上記第１のメッセージの変調及び符号化スキームの情報の少なくとも１つを含む、
項目１に記載の端末デバイス。
［項目３］
上記ネットワークデバイスによって上記第１のメッセージを送信するために用いられ、かつ、上記第３の受信モジュールによって受信される上記時間パターンは、上記第１のメッセージの変更周期、上記第１のメッセージを送信するための反復係数、及び上記第１のメッセージの時間オフセットの情報の少なくとも１つを含む、項目２に記載の端末デバイス。
［項目４］
上記第１の受信モジュールは、第１の受信ユニットをさらに含み、
上記第３の受信モジュールによって受信された上記構成情報が上記第１のＲＮＴＩを含む場合、上記第１の受信ユニットは、上記第１のＲＮＴＩに従って、第１のダウンリンク制御情報を受信し、上記第１の受信モジュールに、上記第１のダウンリンク制御情報に従って、上記第１のメッセージを受信するように命令するように構成される、又は、
上記第３の受信モジュールによって受信された上記構成情報が上記第１のＲＮＴＩを含まない場合、上記第１の受信ユニットは、上記第１のデフォルトＲＮＴＩに従って、上記第１のダウンリンク制御情報を受信し、上記第１のモジュールに、上記第１のダウンリンク制御情報に従って、上記第１のメッセージを受信するように命令するように構成される、
項目２または３に記載の端末デバイス。
［項目５］
上記少なくとも１つのグループサービス識別子が上記端末デバイスの上記第１のグループサービス識別子を含む場合、上記第２の受信モジュールは、上記第１の受信モジュールによって受信された上記第１のメッセージに従って、上記第１のグループサービスを受信するように構成される、項目１から４のいずれか１項に記載の端末デバイス。
［項目６］
上記第１の受信モジュールによって受信された上記第１のメッセージは、上記ネットワークデバイスによって上記第１のメッセージを送信するための周期、上記第１のメッセージの変更周期、上記少なくとも１つのグループサービス識別子に対応する各グループサービスの時間オフセット、第２の無線ネットワーク一時識別子ＲＮＴＩ、及び各グループサービスの論理チャネル番号の情報の少なくとも１つをさらに含む、項目１から５のいずれか１項に記載の端末デバイス。
［項目７］
上記第２の受信モジュールは、第２の受信ユニットを含み、
上記第１のメッセージが上記第２のＲＮＴＩを含む場合、上記第２の受信ユニットは、上記第２のＲＮＴＩに従って、第２のダウンリンク制御情報を受信し、上記第２のダウンリンク制御情報に従って、上記第１のグループサービスを受信するように構成される、又は、
上記第１のメッセージが上記第２のＲＮＴＩを含まない場合、上記第２の受信ユニットは、第２のデフォルトＲＮＴＩに従って、上記第２のダウンリンク制御情報を受信し、上記第２のダウンリンク制御情報に従って、上記第１のグループサービスを受信するように構成される、
項目１から６のいずれか１項に記載の端末デバイス。
［項目８］
上記第２の受信モジュールは、第３の受信ユニットをさらに含み、上記第３の受信ユニットは、
上記第２の受信ユニットによって受信された上記第２のダウンリンク制御情報に従って、メディアアクセス制御ＭＡＣ  ＰＤＵを受信し、
上記第１の受信モジュールによって受信された上記第１のメッセージが各グループサービスの上記論理チャネル番号を含む場合、上記第１の受信モジュールによって受信された上記第１のグループサービスの論理チャネル番号に従って、上記第２の受信モジュールによって受信された上記第１のグループサービスのメディアアクセス制御サービスデータ単位ＭＡＣ  ＳＤＵを受信する、又は、
上記第１の受信モジュールによって受信された上記第１のメッセージが各グループサービスの上記論理チャネル番号を含まない場合、上記第１のグループサービス識別子に従って、上記第２の受信モジュールによって受信された上記第１のグループサービスのＭＡＣ  ＳＤＵを受信する
ように構成される、項目７に記載の端末デバイス。
［項目９］
上記第２の受信モジュールによって受信された上記ＭＡＣ  ＰＤＵは、メディアアクセス制御ＭＡＣ  ＣＥを保持し、上記第１のグループサービスが終了したことを示す、項目８に記載の端末デバイス。
［項目１０］
上記端末デバイスは、
変更指示情報に従って、上記第１の受信モジュールによって受信された上記第１のメッセージが変更されたと決定するように構成される決定モジュールをさらに備え、
上記変更指示情報は、
上記第１のメッセージが変更されたことを示し、かつ、ページングメッセージにおいて保持される指示情報、又は、
上記第１のメッセージが変更されたことを示し、かつ、システム情報ブロックＳＩＢ１メッセージにおいて保持される指示情報、又は、
上記第２の受信モジュールが上記第１のダウンリンク制御情報を受信した場合、上記第１のメッセージが変更されたことを示し、かつ、上記第１のダウンリンク制御情報において保持される指示情報
を含む、項目１から８のいずれか１項に記載の端末デバイス。
［項目１１］
上記第１の受信モジュールは、
上記端末デバイスが上記第１のメッセージを格納しない場合、上記ネットワークデバイスが上記マルチキャスト制御情報を送信した時点で上記第１のメッセージを受信し、
上記端末デバイスが既に上記マルチキャスト制御情報を格納し、上記第１のメッセージが変更されたと決定した場合、上記ネットワークデバイスが変更された第１のメッセージを送信した時点で上記変更された第１のメッセージを受信し、上記変更された第１のメッセージに従って、変更された第１のグループサービスを受信する
ようにさらに構成される、項目１から１０のいずれか１項に記載の端末デバイス。
［項目１２］
第１のメッセージを端末デバイスに送信するように構成される第１の送信モジュールであって、上記第１のメッセージは、少なくとも１つのグループサービス識別子を含み、１つのグループサービス識別子は、１つのグループサービスに対応する、第１の送信モジュールと、
上記少なくとも１つのグループサービス識別子に対応するグループサービスを上記端末デバイスに送信するように構成される第２の送信モジュールと、
を備えるネットワークデバイス。
［項目１３］
上記ネットワークデバイスは、第３の送信モジュールをさらに備え、
上記第３の送信モジュールは、上記第１のメッセージの構成情報を送信するように構成され、これにより、上記端末デバイスは、上記第１のメッセージの上記構成情報に従って、上記第１のメッセージを受信し、
上記第１のメッセージの上記構成情報は、上記第１のメッセージを送信するための時間パターン、第１の無線ネットワーク一時識別子ＲＮＴＩ、ならびに上記第１のメッセージの変調及び符号化スキームの情報の少なくとも１つを含む、
項目１２に記載のネットワークデバイス。
［項目１４］
上記第３の送信モジュールによって上記第１のメッセージを送信するための上記時間パターンは、上記第１のメッセージの変更周期、上記第１のメッセージを送信するための反復係数、及び上記第１のメッセージの時間オフセットの情報の少なくとも１つを含む、項目１３に記載のネットワークデバイス。
［項目１５］
上記第１の送信モジュールによって送信された上記第１のメッセージは、上記第１のメッセージを送信するための周期、上記第１のメッセージの変更周期、上記少なくとも１つのグループサービスにおける各グループサービスの時間オフセット、第２の無線ネットワーク一時識別子ＲＮＴＩ、及び各グループサービスの論理チャネル番号の情報の少なくとも１つをさらに含む、項目１２から１４のいずれか１項に記載のネットワークデバイス。
［項目１６］
上記第１の送信モジュールは、
上記第１のメッセージが変更されたことを示す指示情報を上記端末デバイスに送信することであって、
上記指示情報を保持するページングメッセージを上記端末デバイスに送信すること、又は、
上記指示情報を保持するシステム情報ブロックＳＩＢ１メッセージを上記端末デバイスに送信すること、又は、
上記指示情報を保持する第１のダウンリンク制御情報を上記端末デバイスに送信すること
を含むことを実行するようにさらに構成される、項目１２から１５のいずれか１項に記載のネットワークデバイス。
［項目１７］
グループ通信方法であって、
ネットワークデバイスによって送信された第１のメッセージを端末デバイスによって受信する段階であって、上記第１のメッセージは、少なくとも１つのグループサービス識別子を含み、１つのグループサービス識別子は、１つのグループサービスに対応する、段階と、
上記端末デバイスによって、上記第１のメッセージに従って、上記端末デバイスの第１のグループサービス識別子に対応する第１のグループサービスを受信する段階と、
を備えるグループ通信方法。
［項目１８］
上記方法は、
上記端末デバイスによって、上記第１のメッセージの構成情報を受信し、これにより、上記端末デバイスは、上記第１のメッセージの上記構成情報に従って、上記第１のメッセージを受信する、段階
を備え、
上記第１のメッセージの上記構成情報は、上記ネットワークデバイスによって上記第１のメッセージを送信するために用いられる時間パターン、第１の無線ネットワーク一時識別子ＲＮＴＩ、ならびに上記第１のメッセージの変調及び符号化スキームの情報の少なくとも１つを含む、
項目１７に記載の方法。
［項目１９］
上記第１のメッセージを送信するために上記ネットワークデバイスによって用いられる上記時間パターンは、上記第１のメッセージの変更周期、上記第１のメッセージを送信するための反復係数、及び上記第１のメッセージの時間オフセットの情報の少なくとも１つを含む、項目１８に記載の方法。
［項目２０］
上記端末デバイスによって、上記第１のメッセージの構成情報を受信し、上記第１のメッセージの上記構成情報に従って、上記第１のメッセージを受信する上記段階は、
上記構成情報が上記第１のＲＮＴＩを含む場合、上記端末デバイスによって、上記第１のＲＮＴＩに従って、第１のダウンリンク制御情報を受信し、上記第１のダウンリンク制御情報に従って、上記第１のメッセージを受信する段階、又は、
上記構成情報が上記第１のＲＮＴＩを含まない場合、上記端末デバイスによって、第１のデフォルトＲＮＴＩに従って、上記第１のダウンリンク制御情報を受信し、上記第１のダウンリンク制御情報に従って、上記第１のメッセージを受信する段階
を含む、項目１８または１９に記載の方法。
［項目２１］
上記少なくとも１つのグループサービス識別子が上記端末デバイスの上記第１のグループサービス識別子を含む場合、上記端末デバイスは、上記第１のメッセージに従って、上記第１のグループサービスを受信する、項目１７から２０のいずれか１項に記載の方法。
［項目２２］
上記第１のメッセージは、上記ネットワークデバイスによって上記第１のメッセージを送信するための周期、上記第１のメッセージの変更周期、上記少なくとも１つのグループサービス識別子に対応する各グループサービスの時間オフセット、第２の無線ネットワーク一時識別子ＲＮＴＩ、及び各グループサービスの論理チャネル番号の情報の少なくとも１つをさらに含む、項目１７から２１のいずれか１項に記載の方法。
［項目２３］
上記端末デバイスによって、上記第１のメッセージに従って、上記端末デバイスの第１のグループサービス識別子に対応する第１のグループサービスを受信する上記段階は、
上記第１のメッセージが上記第２のＲＮＴＩを含む場合、上記端末デバイスによって、上記第２のＲＮＴＩに従って、第２のダウンリンク制御情報を受信し、上記第２のダウンリンク制御情報に従って、上記第１のグループサービスを受信する段階、又は、
上記第１のメッセージが上記第２のＲＮＴＩを含まない場合、上記端末デバイスによって、第２のデフォルトＲＮＴＩに従って、上記第２のダウンリンク制御情報を受信し、上記第２のダウンリンク制御情報に従って、上記第１のグループサービスを受信する段階
を含む、項目１７から２２のいずれか１項に記載の方法。
［項目２４］
上記端末デバイスによって、上記第１のメッセージに従って、上記端末デバイスの第１のグループサービス識別子に対応する第１のグループサービスを受信する上記段階は、
上記端末デバイスによって、上記第２のダウンリンク制御情報に従って、メディアアクセス制御ＭＡＣ  ＰＤＵを受信する段階と、
上記第１のメッセージが各グループサービスの上記論理チャネル番号を含む場合、上記端末デバイスによって、各グループサービスの上記論理チャネル番号における上記第１のグループサービスの論理チャネル番号に従って、上記第１のグループサービスのメディアアクセス制御サービスデータ単位ＭＡＣ  ＳＤＵを受信する段階、又は
上記第１のメッセージが各グループサービスの上記論理チャネル番号を含まない場合、上記端末デバイスによって、上記第１のグループサービス識別子に従って、上記第１のグループサービスのＭＡＣ  ＳＤＵを受信する段階と、
を含む、項目２３に記載の方法。
［項目２５］
上記ＭＡＣ  ＰＤＵは、メディアアクセス制御ＭＡＣ  ＣＥを保持し、上記第１のグループサービスが終了したことを示す、項目２４に記載の方法。
［項目２６］
上記方法は、上記端末デバイスによって、変更指示情報に従って、上記第１のメッセージが変更されたと決定する段階をさらに備え、
上記変更指示情報は、
上記第１のメッセージが変更されたことを示し、かつ、ページングメッセージにおいて保持される指示情報、又は、
上記第１のメッセージが変更されたことを示し、かつ、システム情報ブロックＳＩＢ１メッセージにおいて保持される指示情報、又は
上記端末デバイスが上記第１のダウンリンク制御情報を受信した場合、上記第１のメッセージが変更されたことを示し、かつ、上記第１のダウンリンク制御情報において保持される指示情報
を含む、項目１７から２５のいずれか１項に記載の方法。
［項目２７］
ネットワークデバイスによって送信された第１のメッセージを端末デバイスによって受信する上記段階は、
上記端末デバイスが上記第１のメッセージを格納しない場合、上記ネットワークデバイスが上記マルチキャスト制御情報を送信した時点で上記第１のメッセージを受信する段階と、
上記端末デバイスが既に上記マルチキャスト制御情報を格納し、上記第１のメッセージが変更されたと決定した場合、上記ネットワークデバイスが変更された第１のメッセージを送信した時点で上記変更された第１のメッセージを受信し、上記変更された第１のメッセージに従って、変更された第１のグループサービスを受信する段階と、
を含む、項目１７から２６のいずれか１項に記載の方法。
［項目２８］
グループ通信方法であって、
第１のメッセージを端末デバイスに送信する段階であって、上記第１のメッセージは、少なくとも１つのグループサービス識別子を含み、１つのグループサービス識別子は、１つのグループサービスに対応する、段階と、
上記少なくとも１つのグループサービス識別子に対応するグループサービスを上記端末デバイスに送信する段階と、
を備える方法。
［項目２９］
上記方法は、
上記第１のメッセージの構成情報を送信し、これにより、上記端末デバイスは、上記第１のメッセージの上記構成情報に従って、上記第１のメッセージを受信する、段階
をさらに備え、
上記第１のメッセージの上記構成情報は、上記第１のメッセージを送信するための時間パターン、第１の無線ネットワーク一時識別子ＲＮＴＩ方式、ならびに上記第１のメッセージの変調及び符号化スキームの情報の少なくとも１つを含む、
項目２８に記載の方法。
［項目３０］
上記第１のメッセージを送信するための上記時間パターンは、上記第１のメッセージの変更周期、上記第１のメッセージを送信するための反復係数、及び上記第１のメッセージの時間オフセットの情報の少なくとも１つを含む、項目２９に記載の方法。
［項目３１］
上記第１のメッセージは、上記第１のメッセージを送信するための周期、上記第１のメッセージの変更周期、上記少なくとも１つのグループサービス識別子に対応する各グループサービスの時間オフセット、第２の無線ネットワーク一時識別子ＲＮＴＩ、及び各グループサービスの論理チャネル番号の情報の少なくとも１つをさらに含む、項目１８から３０のいずれか１項に記載の方法。
［項目３２］
上記方法は、上記第１のメッセージが変更されたことを示す指示情報を上記端末デバイスに送信する段階であって、
上記指示情報を保持するページングメッセージを上記端末デバイスに送信する段階、又は、
上記指示情報を保持するシステム情報ブロックＳＩＢ１メッセージを上記端末デバイスに送信する段階、又は、
上記指示情報を保持する第１のダウンリンク制御情報を上記端末デバイスに送信する段階
を含む段階をさらに備える、項目１８から３１のいずれか１項に記載の方法。
【図１】
0006472889.tif 000002
【図２】
0006472889.tif 000003
【図３】
0006472889.tif 000004
【図４】
0006472889.tif 000005
【図５】
0006472889.tif 000006
【図６】
0006472889.tif 000007
【図７】
0006472889.tif 000008
【図８】
0006472889.tif 000009
【図９】
0006472889.tif 000010
【図１０】
0006472889.tif 000011